(57)【要約】【課題】視聴者がコンテンツ視聴端末を替える場合であっても、再度、視聴者が認証手続きを行うことなく、かつ、コンテンツサーバ（コンテンツ提供装置）の負荷を軽減することが可能なコンテンツ視聴端末を提供する。【解決手段】コンテンツ視聴端末１は、認証管理装置に対して、コンテンツを視聴する権利を示す視聴権利証明書を要求するための視聴要求を送信するコンテンツ購入要求送信手段（証明書要求手段）２１と、視聴権利証明書を受信する証明書受信手段２２と、視聴権利証明書を他のコンテンツ視聴端末に転送する証明書転送手段３３と、他のコンテンツ視聴端末において受信された視聴権利証明書を取得し、記憶する転送証明書取得手段３４と、を備える。【選択図】図３
2009217370.tif 000002
【特許請求の範囲】
【請求項１】
コンテンツの視聴認証を行う認証管理装置から前記コンテンツを視聴する権利を取得し、当該権利に基づいて、コンテンツ提供装置から前記コンテンツを取得し提示するコンテンツ視聴端末において、
前記認証管理装置に対して、前記コンテンツを視聴する権利を示す視聴権利証明書を要求するための視聴要求を送信する証明書要求手段と、
前記認証管理装置から、前記視聴要求に対して送信される視聴権利証明書を受信する証明書受信手段と、
この証明書受信手段で受信した視聴権利証明書を記憶する記憶手段と、
この記憶手段に記憶されている視聴権利証明書を他のコンテンツ視聴端末に転送する証明書転送手段と、
他のコンテンツ視聴端末において受信された視聴権利証明書を、当該他のコンテンツ視聴端末から取得し、前記記憶手段に記憶する転送証明書取得手段と、
前記証明書受信手段で受信した視聴権利証明書または前記転送証明書取得手段で取得した視聴権利証明書を前記記憶手段から読み出して、前記コンテンツ提供装置に対して、前記コンテンツを要求するためのコンテンツ配信要求として送信するコンテンツ要求手段と、
前記コンテンツ提供装置から、前記コンテンツ配信要求に対して送信されるコンテンツを受信するコンテンツ受信手段と、
このコンテンツ受信手段で受信したコンテンツを再生するコンテンツ再生手段と、
を備えることを特徴とするコンテンツ視聴端末。
【請求項２】
前記コンテンツ再生手段に対して、視聴者からの要求に応じてコンテンツ再生の中断を指示するコンテンツ中断指示手段と、
このコンテンツ中断指示手段で再生が中断されたコンテンツの中断時刻を示すタイムスタンプを前記視聴権利証明書に付加する中断情報付加手段と、をさらに備え、
前記証明書転送手段が、前記中断情報付加手段によって前記タイムスタンプが付加された視聴権利証明書を、前記他のコンテンツ視聴端末に転送することを特徴とする請求項１に記載のコンテンツ視聴端末。
【請求項３】
前記証明書転送手段によって視聴権利証明書を転送する際に、当該視聴権利証明書に出力時刻を付加する出力時刻付加手段と、
前記他のコンテンツ視聴端末から送信された視聴権利証明書に付加されている出力時刻に基づいて、前記視聴権利証明書の有効性を判定する証明書有効判定手段と、をさらに備えることを特徴とする請求項１または請求項２に記載のコンテンツ視聴端末。
【請求項４】
コンテンツを視聴するための認証を行う認証管理装置から前記コンテンツを視聴する権利を取得し、当該権利に基づいて、コンテンツ提供装置から前記コンテンツを取得し提示するために、コンテンツ視聴端末のコンピュータを、
前記認証管理装置に対して、前記コンテンツを視聴する権利を示す視聴権利証明書を要求するための視聴要求を送信する証明書要求手段、
前記認証管理装置から、前記視聴要求に対して送信される視聴権利証明書を受信し、記憶手段に記憶する証明書受信手段、
前記記憶手段に記憶されている視聴権利証明書を他のコンテンツ視聴端末に転送する証明書転送手段、
他のコンテンツ視聴端末において受信された視聴権利証明書を、当該他のコンテンツ視聴端末から取得し、前記記憶手段に記憶する転送証明書取得手段、
前記証明書受信手段で受信した視聴権利証明書または前記転送証明書取得手段で取得した視聴権利証明書を前記記憶手段から読み出して、前記コンテンツ提供装置に対して、前記コンテンツを要求するためのコンテンツ配信要求として送信するコンテンツ要求手段、
前記コンテンツ提供装置から、前記コンテンツ配信要求に対して送信されるコンテンツを受信するコンテンツ受信手段、
このコンテンツ受信手段で受信したコンテンツを再生するコンテンツ再生手段、
このコンテンツ再生手段に対して、視聴者からの要求に応じてコンテンツ再生の中断を指示するコンテンツ中断指示手段と、
このコンテンツ中断指示手段で再生が中断されたコンテンツの中断時刻を示すタイムスタンプを前記視聴権利証明書に付加する中断情報付加手段、として機能させ、
前記証明書転送手段が、前記中断情報付加手段によって前記タイムスタンプが付加された視聴権利証明書を、前記他のコンテンツ視聴端末に転送することを特徴とするコンテンツ視聴プログラム。
【請求項５】
コンテンツを視聴するための認証を行う認証管理装置と、前記コンテンツを提供するコンテンツ提供装置とにネットワークを介して接続された複数のコンテンツ視聴端末間で、前記コンテンツを視聴する権利を移譲するコンテンツ視聴権利移譲方法であって、
移譲元のコンテンツ視聴端末において、
前記コンテンツを視聴する権利を示す視聴権利証明書を要求する証明書要求手段によって前記認証管理装置に対して前記視聴権利証明書を要求するための視聴要求を送信し、証明書受信手段によって前記認証管理装置から前記視聴権証明書を受信する証明書受信ステップと、
前記コンテンツを要求するためのコンテンツ配信要求を送信するコンテンツ要求手段によって前記視聴権証明書を前記コンテンツ提供装置に送信し、コンテンツ受信手段によって前記コンテンツ提供装置から前記コンテンツを受信するコンテンツ受信ステップと、
前記コンテンツを再生するコンテンツ再生手段によって、前記コンテンツ受信手段で受信したコンテンツを再生するコンテンツ再生ステップと、
視聴者からの要求に応じてコンテンツ再生の中断を指示するコンテンツ中断指示手段によってコンテンツの再生を中断し、中断情報付加手段によって再生が中断されたコンテンツの中断時刻を示すタイムスタンプを前記視聴権利証明書に付加する中断情報付加ステップと、
前記視聴権利証明書を他のコンテンツ視聴端末に転送する証明書転送手段によって、前記タイムスタンプが付加された視聴権利証明書を、移譲先のコンテンツ視聴端末に転送する証明書転送ステップと、
前記移譲先のコンテンツ視聴端末において、
前記コンテンツを要求するためのコンテンツ配信要求を送信するコンテンツ要求手段によって前記タイムスタンプが付加された視聴権証明書を前記コンテンツ提供装置に送信し、コンテンツ受信手段によって前記コンテンツ提供装置から前記タイムスタンプ以降のコンテンツを受信する再開コンテンツ受信ステップと、
前記コンテンツを再生するコンテンツ再生手段によって、前記コンテンツ受信手段で受信したコンテンツを再生するコンテンツ再生再開ステップと、
を含むことを特徴とするコンテンツ視聴権利移譲方法。
【発明の詳細な説明】
【技術分野】
【０００１】
本発明は、ビデオオンデマンドによるコンテンツ視聴中に視聴端末を変更した場合であっても、継続してコンテンツを視聴することが可能なコンテンツ視聴端末およびそのプログラム、ならびに、コンテンツ視聴権利移譲方法に関する。
【背景技術】
【０００２】
近年、テレビ受像機、携帯電話等のコンテンツ視聴端末で、インターネット等の通信回線を介して、視聴者が好きなコンテンツを好きな時間にコンテンツサーバから取得し、視聴することが可能なビデオオンデマンド（ＶＯＤ）のコンテンツ視聴環境が整備されてきている。また、最近では、ＩＰ（Internet Protocol）を利用してデジタルテレビ放送を配信するＩＰＴＶ放送のサービスが開始され始めている。
【０００３】
一般に、ＶＯＤ等の通信回線を介してコンテンツを配信するシステムにおいて、コンテンツは、複数のコンテンツ提供者によって提供されるため、コンテンツを提供するコンテンツサーバは複数存在することになる。このとき、個々のコンテンツサーバに対して、個々に視聴者が認証を行う手間を省くため、ログイン認証（認証手続き）を一度行うだけで、視聴者が、複数のコンテンツサーバにログイン認証を行うことなくログインし、コンテンツを取得することが可能なシングルサインオン（Single Sign‐On）の技術が知られている（例えば、特許文献１参照）。
【０００４】
また、ＶＯＤシステムにおいて、コンテンツを視聴中に、コンテンツ再生を一時的に中断することが可能な技術が開示されている（例えば、特許文献２参照）。この技術によれば、視聴者がコンテンツの視聴を中断したい場合、視聴者側（加入者側システム）から、コンテンツを配信するコンテンツサーバ（センタ側システム）に対し、ポーズ信号を送出し、コンテンツサーバ側がポーズ時点におけるコンテンツの送出位置を保持しておく。その後、視聴者側からポーズの解除信号を送出された段階で、コンテンツサーバ側が保持しておいた送出位置からコンテンツを送出する。このように、コンテンツサーバは、コンテンツの送出を中断および再開することができるため、視聴者は、急な用件があった場合であっても、コンテンツの視聴を中断することで、コンテンツの一部分を見逃す等の不都合を解消することができる。
【特許文献１】特開２００７−１９３４６４号公報
【特許文献２】特開平０８-２８９２７９号公報
【発明の開示】
【発明が解決しようとする課題】
【０００５】
前記した従来のＶＯＤ等のコンテンツ配信システムでは、視聴者がコンテンツを視聴する場合、視聴を行うコンテンツ視聴端末で認証手続きを行った後、当該コンテンツ視聴端末で、視聴者がコンテンツを視聴することを前提としている。このため、例えば、視聴者が、テレビ受像機（コンテンツ視聴端末）において、コンテンツを視聴中に、別の場所に移動しなければならなくなった場合、他のコンテンツ視聴端末（例えば、パーソナルコンピュータ、携帯電話等）でコンテンツを視聴しようとすると、再度、そのコンテンツ視聴端末において認証手続きを行う必要があり、視聴者にとってその作業は煩わしいものとなる。
【０００６】
また、従来のコンテンツ配信システムでは、コンテンツ再生の中断を行う場合、その中断時点の情報をコンテンツサーバで保持する必要があるため、視聴者の増加等に伴い、サーバ側の負荷が増大してしまうという問題がある。
【０００７】
本発明は、以上のような課題を解決するためになされたものであり、視聴者がコンテンツ視聴端末を替える場合であっても、再度、視聴者が認証手続きを行うことなく、かつ、コンテンツサーバの負荷を軽減することが可能なコンテンツ視聴端末およびそのプログラム、ならびに、コンテンツ視聴権利移譲方法を提供することを目的とする。
【課題を解決するための手段】
【０００８】
本発明は、前記目的を達成するために創案されたものであり、まず、請求項１に記載のコンテンツ視聴端末は、コンテンツの視聴認証を行う認証管理装置からコンテンツを視聴する権利を取得し、当該権利に基づいて、コンテンツ提供装置からコンテンツを取得し提示するコンテンツ視聴端末において、証明書要求手段と、証明書受信手段と、記憶手段と、証明書転送手段と、転送証明書取得手段と、コンテンツ要求手段と、コンテンツ受信手段と、コンテンツ再生手段とを備える構成とした。
【０００９】
かかる構成において、コンテンツ視聴端末は、証明書要求手段によって、認証管理装置に対して、コンテンツを視聴する権利を示す視聴権利証明書を要求するための視聴要求を送信する。この視聴権利証明書は、電子的な証明書であって、コンテンツを視聴するためのライセンス情報、コンテンツを特定するためのコンテンツＩＤ等を含んだデータである。この視聴権利証明書は、認証管理装置で発行されるものである。そして、コンテンツ視聴端末は、証明書受信手段によって、認証管理装置から視聴権利証明書を受信し記憶手段に記憶しておく。
【００１０】
また、コンテンツ視聴端末は、証明書転送手段によって、証明書受信手段で受信した視聴権利証明書を他のコンテンツ視聴端末に転送したり、転送証明書取得手段によって、他のコンテンツ視聴端末から視聴権利証明書を取得したりする。これによって、コンテンツ視聴端末は、視聴権利証明書をコンテンツ視聴端末間で正規に移動させることができる。
【００１１】
そして、コンテンツ視聴端末は、コンテンツ要求手段によって、証明書受信手段で受信した視聴権利証明書または転送証明書取得手段で取得した視聴権利証明書を、コンテンツ提供装置に対して、コンテンツを要求するためのコンテンツ配信要求として送信する。
【００１２】
そして、コンテンツ視聴端末は、コンテンツ受信手段によって、コンテンツ提供装置からコンテンツを受信し、コンテンツ再生手段によって、受信したコンテンツを再生する。これによって、コンテンツ視聴端末は、コンテンツ視聴端末間で視聴権利証明書を移動させ、視聴者は、移動先のコンテンツ視聴端末でコンテンツの視聴が可能になる。
【００１３】
また、請求項２に記載のコンテンツ視聴端末は、請求項１に記載のコンテンツ視聴端末において、コンテンツ中断指示手段と、中断情報付加手段とをさらに備える構成とした。
【００１４】
かかる構成において、コンテンツ視聴端末は、コンテンツ中断指示手段によって、コンテンツ再生手段に対して、視聴者からの要求に応じてコンテンツ再生の中断を指示する。このコンテンツ中断指示手段は、例えば、予め定めた中断ボタンを押下されることで視聴者からの要求を受け付けることとしてもよいし、画面内にメニューを表示し中断を選択されることで視聴者からの要求を受け付けることとしてもよい。
【００１５】
そして、コンテンツ視聴端末は、中断情報付加手段によって、再生が中断されたコンテンツの中断時刻を示すタイムスタンプを視聴権利証明書に付加する。そして、コンテンツ視聴端末は、証明書転送手段によって、タイムスタンプが付加された視聴権利証明書を、他のコンテンツ視聴端末に転送する。これによって、コンテンツがどの時点まで再生されたかを示す情報が、他のコンテンツ視聴端末に通知されることになる。
【００１６】
さらに、請求項３に記載のコンテンツ視聴端末は、請求項１または請求項２に記載のコンテンツ視聴端末において、出力時刻付加手段と、証明書有効判定手段とをさらに備える構成とした。
【００１７】
かかる構成において、コンテンツ視聴端末は、出力時刻付加手段によって、視聴権利証明書を転送する際に、当該コンテンツ視聴端末から出力される時刻を視聴権利証明書に付加する。また、コンテンツ視聴端末は、証明書有効判定手段によって、他のコンテンツ視聴端末から送信された視聴権利証明書に付加されている出力時刻に基づいて、視聴権利証明書の有効性を判定する。例えば、出力時刻から予め定めた時間（例えば、３０分）を経過していない視聴権利証明書のみを有効なものと判定し、予め定めた時間を経過した視聴権利証明書を無効なもの判定する。
【００１８】
また、請求項４に記載のコンテンツ視聴プログラムは、コンテンツを視聴するための認証を行う認証管理装置から前記コンテンツを視聴する権利を取得し、当該権利に基づいて、コンテンツ提供装置から前記コンテンツを取得し提示するために、コンテンツ視聴端末のコンピュータを、証明書要求手段、証明書受信手段、証明書転送手段、転送証明書取得手段、コンテンツ要求手段、コンテンツ受信手段、コンテンツ再生手段として機能させる構成とした。
【００１９】
かかる構成において、コンテンツ視聴プログラムは、証明書要求手段によって、認証管理装置に対して、コンテンツを視聴する権利を示す視聴権利証明書を要求するための視聴要求を送信する。そして、コンテンツ視聴プログラムは、証明書受信手段によって、認証管理装置から視聴権利証明書を受信し記憶手段に記憶しておく。
【００２０】
また、コンテンツ視聴プログラムは、証明書転送手段によって、証明書受信手段で受信した視聴権利証明書を他のコンテンツ視聴端末に転送したり、転送証明書取得手段によって、他のコンテンツ視聴端末から視聴権利証明書を取得したりする。そして、コンテンツ視聴プログラムは、コンテンツ要求手段によって、証明書受信手段で受信した視聴権利証明書または転送証明書取得手段で取得した視聴権利証明書を、コンテンツ提供装置に対して、コンテンツを要求するためのコンテンツ配信要求として送信する。
【００２１】
そして、コンテンツ視聴プログラムは、コンテンツ受信手段によって、コンテンツ提供装置からコンテンツを受信し、コンテンツ再生手段によって、受信したコンテンツを再生する。これによって、コンテンツ視聴プログラムは、コンテンツ視聴端末間で視聴権利証明書を移動させ、視聴者は、移動先のコンテンツ視聴端末でコンテンツの視聴が可能になる。
【００２２】
さらに、請求項５に記載のコンテンツ視聴権利移譲方法は、コンテンツを視聴するための認証を行う認証管理装置と、コンテンツを提供するコンテンツ提供装置とにネットワークを介して接続された複数のコンテンツ視聴端末間で、コンテンツを視聴する権利を移譲するコンテンツ視聴権利移譲方法であって、移譲元のコンテンツ視聴端末において、証明書受信ステップと、コンテンツ受信ステップと、コンテンツ再生ステップと、中断情報付加ステップと、証明書転送ステップとを含み、移譲先のコンテンツ視聴端末において、再開コンテンツ受信ステップと、コンテンツ再生再開ステップとを含む手順とした。
【００２３】
かかる手順において、コンテンツ視聴権利移譲方法は、移譲元のコンテンツ視聴端末において、証明書受信ステップで、証明書要求手段によって、認証管理装置に対して視聴権利証明書を要求するための視聴要求を送信し、証明書受信手段によって、認証管理装置から視聴権証明書を受信する。
【００２４】
そして、コンテンツ視聴権利移譲方法は、コンテンツ受信ステップで、コンテンツ要求手段によって、視聴権証明書をコンテンツ提供装置に送信し、コンテンツ受信手段によって、コンテンツ提供装置からコンテンツを受信する。その後、コンテンツ視聴権利移譲方法は、コンテンツ再生ステップで、コンテンツ再生手段によってコンテンツを再生する。
【００２５】
さらに、コンテンツ視聴権利移譲方法は、中断情報付加ステップで、コンテンツ中断指示手段によって視聴者からの要求に応じてコンテンツの再生を中断し、中断情報付加手段によって、再生が中断されたコンテンツの中断時刻を示すタイムスタンプを視聴権利証明書に付加する。そして、コンテンツ視聴権利移譲方法は、証明書転送ステップで、証明書転送手段によって、タイムスタンプが付加された視聴権利証明書を、移譲先のコンテンツ視聴端末に転送する。
【００２６】
一方、コンテンツ視聴権利移譲方法は、移譲先のコンテンツ視聴端末において、再開コンテンツ受信ステップで、コンテンツ要求手段によってタイムスタンプが付加された視聴権証明書をコンテンツ提供装置に送信し、コンテンツ受信手段によってコンテンツ提供装置からタイムスタンプ以降のコンテンツを受信する。そして、コンテンツ視聴権利移譲方法は、コンテンツ再生再開ステップで、コンテンツ再生手段によって、前記コンテンツ受信手段で受信したコンテンツを再生する。
【発明の効果】
【００２７】
本発明は、以下に示す優れた効果を奏するものである。
請求項１、請求項４に記載の発明によれば、コンテンツ視聴端末は、コンテンツを視聴する視聴権利証明書を他のコンテンツ視聴端末に正規に移譲することができる。これによって、あるコンテンツ視聴端末で視聴者がコンテンツの視聴の契約を行った場合であっても、視聴者は、視聴権利証明書を他のコンテンツ視聴端末に移動させるだけで、認証等の煩わしい手続きを行うことなく、他のコンテンツ視聴端末において、コンテンツを視聴することができる。
【００２８】
請求項２に記載の発明によれば、コンテンツ提供端末は、コンテンツの再生を中断した時刻を視聴権利証明書に付加して、他のコンテンツ視聴端末に移譲するため、他のコンテンツ視聴端末において、コンテンツの再生を再開させることができる。また、このとき、中断時刻は、コンテンツ視聴端末側で記録されるため、コンテンツ提供装置（サーバ）が中断時刻を管理する必要がなく、コンテンツ提供装置（サーバ）の負荷を軽減させることができる。
【００２９】
請求項３に記載の発明によれば、コンテンツ視聴端末は、視聴権利証明書に出力時刻を付加し、他のコンテンツ視聴端末において、当該視聴権利証明書の有効性を判定することができる。これによって、時間制限により無効となった視聴権利証明書の使用を制限することができる。また、当該視聴権利証明書の有効期限をコンテンツ視聴端末で管理するため、コンテンツ提供装置（サーバ）の負荷を軽減させることができる。
【００３０】
請求項５に記載の発明によれば、コンテンツ視聴端末は、コンテンツを視聴する視聴権利証明書を他のコンテンツ視聴端末に移譲することができる。また、本発明によれば、コンテンツ提供端末は、コンテンツの再生を中断した時刻を視聴権利証明書に付加して、他のコンテンツ視聴端末に移譲するため、他のコンテンツ視聴端末において、コンテンツの再生を再開させることができる。これによって、視聴者は、視聴権利証明書を他のコンテンツ視聴端末に移動させるだけで認証等の煩わしい手続きを行う必要がなく、また、コンテンツ提供装置（サーバ）が中断情報を管理する必要がない。このため、視聴者が増加した場合であっても、コンテンツを提供するコンテンツ提供装置（サーバ）の負荷を増大させることがない。
【発明を実施するための最良の形態】
【００３１】
以下、本発明の実施形態について図面を参照して説明する。
［第１実施形態：コンテンツ配信システムの構成］
最初に、図１を参照して、本発明に係るコンテンツ視聴端末を含んだコンテンツ配信システムの構成について説明する。図１は、本発明に係るコンテンツ視聴端末を含んだコンテンツ配信システムの第１実施形態のシステム構成図である。
【００３２】
コンテンツ配信システムＳは、コンテンツを提供するプロバイダから、視聴者側からの要求に応じてコンテンツ視聴端末１にコンテンツを配信するものである。ここでは、コンテンツ配信システムＳは、相互にネットワークＮを介して接続された複数のコンテンツ視聴端末１（ここでは、テレビ受像機１ａ、携帯電話１ｂ）と、複数のコンテンツ提供装置１０，１０，…とを備えている。
【００３３】
コンテンツ視聴端末１は、放送事業者（情報提供者、放送局）等のコンテンツを提供するプロバイダ側から、ネットワークＮを通じて送信（伝送）されるコンテンツ（デジタル放送番組）を受信するとともに、インターネット等のネットワークＮを介して各種情報を取得するものである。このネットワークＮを介して取得する情報には、視聴者がコンテンツの視聴の契約を行ったことを示す電子的な視聴権利証明書（以下、アサーションという）が含まれる。
【００３４】
このコンテンツ視聴端末１は、ネットワークＮを介してコンテンツを受信するものであればよく、例えば、テレビ受像機１ａ、携帯電話１ｂ、パソコン（図示せず）等として実現することができる。
【００３５】
また、ここでは、コンテンツ視聴端末１は、各コンテンツ視聴端末１の間で、アサーションＣを移動することで、コンテンツを視聴する権利を移譲する機能を有している。例えば、視聴者がテレビ受像機１ａでコンテンツを視聴中に、携帯電話１ｂでコンテンツを視聴する場合、アサーションＣを、テレビ受像機１ａから、携帯電話１ｂに移動することで、視聴者が、携帯電話１ｂにおいてコンテンツを視聴することが可能になる。
【００３６】
また、各コンテンツ視聴端末１の間で、アサーションＣを移動する際に、コンテンツの視聴の途中である場合には、当該コンテンツの中断情報（例えば、タイムスタンプ）を、アサーションＣに付加して移動する。そして、アサーションＣを取得したコンテンツ視聴端末１は、アサーションＣにより、コンテンツ提供装置１０にコンテンツを要求する。これによって、視聴者は、異なるコンテンツ視聴端末１において、中断後のコンテンツの視聴が可能になる。
【００３７】
ここで、図２を参照して、アサーションＣの内容について、具体的に説明する。図２は、アサーションのデータの内容例を示す図である。ここでは、アサーションＣとして、コンテンツＩＤ、コンテンツ取得情報、ライセンス情報、認証情報、コンテンツ中断情報、決済情報確認、出力時刻を含んだ例を示している。
【００３８】
コンテンツＩＤは、視聴者が契約を行ったコンテンツを特定するための情報である。ここでは、コンテンツＩＤを、コンテンツ提供装置１０のＵＲＬ（Uniform Resource Locator）と、放送チャンネル名等とを組み合わせたＣＲＩＤ（Content Reference ID）により記載した例を示している。
【００３９】
コンテンツ取得情報は、視聴者のコンテンツ取得状態を示す情報である。このコンテンツ取得情報は、例えば、視聴者がコンテンツを取得済みであるか否か、あるいは、複数回視聴が可能な契約の場合であれば、コンテンツの取得回数等を示す情報である。なお、このコンテンツ取得情報は、ＵＲＬにより参照化可能形式で記載されている。
【００４０】
ライセンス情報は、視聴者の契約内容を示す情報である。このライセンス情報は、例えば、コンテンツの視聴回数等である。
認証情報は、認証を行った視聴者やコンテンツ視聴端末１を特定するための情報である。ここでは、認証情報を、視聴者が契約を行ったコンテンツ視聴端末１の識別情報（受信機識別番号）を記載した例を示している。
コンテンツ中断情報は、視聴者がコンテンツの視聴を中断した時刻を特定するための情報であって、例えば、タイムスタンプを用いることができる。このタイムスタンプは、［時：分：秒：フレーム番号］で表わされる情報である。
【００４１】
決済情報確認は、視聴者がコンテンツを視聴するための料金の支払い等の決済方法や、決済の有無を確認するための情報である。なお、この決済情報確認は、ＵＲＬにより参照化可能形式で記載されている。この決済情報確認は、コンテンツ提供装置１０において、コンテンツの配信の可否を判定する際に利用される。
出力時刻は、コンテンツ視聴端末１から、アサーションＣを移動した時刻を示す情報である。この出力時刻は、例えば、アサーションＣを、他のコンテンツ視聴端末に移動させる際に、当該アサーションＣの有効時間を判定する際に利用される。
図１に戻って、コンテンツ配信システムＳの構成について説明を続ける。
【００４２】
コンテンツ提供装置（認証管理装置）１０は、コンテンツ視聴端末１にネットワークＮを介して接続され、コンテンツ視聴端末１に視聴者が所望するコンテンツを配信するものである。このコンテンツ提供装置１０は、例えば、ウェブサーバ（ウェブサイト）であって、登録を行った視聴者だけが利用できるコンテンツを配信する。
【００４３】
なお、ここで、コンテンツとは、例えば、映像（動画像、静止画像、ＣＧ画像、文字等）や音声（合成音声を含む）等のことであり、以下、コンテンツという場合、デジタル放送番組も含むものとする。また、ここで、コンテンツという場合、映像および／または音声のデータである映像・音声コンテンツと、表示画面の構成を規定するデータ放送コンテンツとを含むものとする。このデータ放送コンテンツは、データ放送向けのページ記述言語であるＢＭＬ（Broadcast Markup Language）によって記述されたデータである。また、映像・音声コンテンツは、映像および／または音声のデータ（ストリームデータ）であって、ＭＰＥＧ２等の符号化方式によって符号化されたデータである。
【００４４】
また、ここでは、コンテンツ提供装置１０は、コンテンツ視聴端末１からコンテンツの要求があった際に、同時に送信されるアサーションＣにより、コンテンツ視聴端末１がコンテンツを視聴する権利を有している視聴者の端末である否かを認証する認証管理装置としての機能も有し、権利を有している場合にのみコンテンツを配信する。また、コンテンツ提供装置１０は、コンテンツを配信する際に、アサーションＣの中断情報で示されるタイムスタンプのデータから順にコンテンツを配信する。
【００４５】
このようにコンテンツ配信システムＳを構成することで、視聴者は、コンテンツを視聴するコンテンツ視聴端末１を替える場合であっても、他のコンテンツ視聴端末１において、認証手続きを行うことなくコンテンツを視聴することができる。また、このコンテンツ配信システムＳによれば、視聴者は、コンテンツの視聴を中断し、他のコンテンツ視聴端末１で当該コンテンツを視聴する場合に、中断時点のコンテンツから再開して、コンテンツを視聴することができる。
【００４６】
なお、ここでは、コンテンツ配信システムＳを、コンテンツ視聴端末１を２つ、コンテンツ提供装置１０を２つとして構成しているが、コンテンツ配信システムＳには、複数のコンテンツ視聴端末１およびコンテンツ提供装置１０が含まれる。
【００４７】
［コンテンツ視聴端末の構成］
次に、図３を参照（適宜図１参照）して、コンテンツ視聴端末１の構成について説明する。図３は、図１に示したコンテンツ視聴端末の構成を示す機能ブロック図である。ここでは、コンテンツ視聴端末１は、ネットワーク通信手段２と、認証管理手段３と、証明書入出力手段４と、記憶手段５と、操作制御手段６と、表示制御手段７とを備えている。
【００４８】
ネットワーク通信手段２は、インターネット等のネットワークＮを介して、コンテンツ提供装置１０との間で、各種情報を送受信するものである。ここでは、ネットワーク通信手段２は、コンテンツ購入要求送信手段２１と、証明書受信手段２２と、コンテンツ配信要求送信手段２３と、コンテンツ受信手段２４とを備えている。
【００４９】
コンテンツ購入要求送信手段（証明書要求手段）２１は、後記するコンテンツ購入要求生成手段３１で生成されたコンテンツ購入要求（証明書要求）をコンテンツ提供装置１０に送信するものである。このコンテンツ購入要求に応じて、コンテンツ提供装置１０から、視聴者がコンテンツの視聴の契約を行ったことを示す電子的な視聴権利証明書（アサーション）が送信されることになる。なお、コンテンツ購入要求送信手段２１と、後記するコンテンツ購入要求生成手段３１とが、特許請求の範囲にいう証明書要求手段に相当する。
【００５０】
証明書受信手段２２は、コンテンツ提供装置１０から送信されるアサーションＣを受信するものである。この証明書受信手段２２で受信されたアサーションＣは、記憶手段５に記憶される。
【００５１】
コンテンツ配信要求送信手段（コンテンツ要求手段）２３は、後記するコンテンツ配信要求生成手段３２で生成されたコンテンツ配信要求をコンテンツ提供装置１０に送信するものである。このコンテンツ配信要求に応じて、コンテンツ提供装置１０から、視聴者が所望したコンテンツが送信されることになる。なお、コンテンツ配信要求送信手段２３と、後記するコンテンツ配信要求生成手段３２とが、特許請求の範囲にいうコンテンツ要求手段に相当する。
【００５２】
コンテンツ受信手段２４は、コンテンツ提供装置１０から送信されるコンテンツを受信するものである。このコンテンツ受信手段２４で受信されたコンテンツは、表示制御手段７に出力される。なお、コンテンツ受信手段２４は、操作制御手段６において、視聴者からコンテンツの視聴の中断を指示された場合、コンテンツ提供装置１０との間の通信を停止する。
【００５３】
認証管理手段３は、コンテンツ提供装置１０から、契約者限定のコンテンツを取得するための認証に必要な処理を実行するものである。ここでは、認証管理手段３は、コンテンツ購入要求生成手段３１と、コンテンツ配信要求生成手段３２と、証明書転送手段３３と、転送証明書取得手段３４と、中断情報付加手段３５と、出力時刻付加手段３６と、証明書有効判定手段３７とを備えている。
【００５４】
コンテンツ購入要求生成手段（証明書要求手段）３１は、記憶手段５に記憶されている識別情報と、視聴者を認証するための認証用データと、視聴者が視聴（購入）を希望するコンテンツを特定する情報とを含んだメッセージであるコンテンツ購入要求（証明書要求）を生成するものである。この識別情報は、コンテンツ視聴端末１を特定するための情報であって、例えば、製造番号等の固有のＩＤである。また、認証用データは、コンテンツを購入した視聴者を特定するための情報であって、例えば、ユーザＩＤ、パスワードである。このユーザＩＤ、パスワードを認証用データとして用いる場合、コンテンツ購入要求生成手段３１は、表示制御手段７の画面制御手段７２を介して、ユーザＩＤ、パスワードを入力するための認証画面を表示し、操作ボタン等で入力される文字コードを、操作制御手段６を介して取得する。なお、この認証用データは、予めユーザ登録によりコンテンツ提供装置１０に蓄積されているものである。
【００５５】
また、コンテンツ購入要求生成手段３１は、表示制御手段７の画面制御手段７２を介して、コンテンツを選択するためのコンテンツ選択画面を表示し、操作ボタン等で選択されたコンテンツの識別情報（コンテンツＩＤ）を、操作制御手段６を介して取得する。なお、コンテンツ選択画面に表示するコンテンツリスト（コンテンツＩＤを含む）は、予めコンテンツ提供装置１０から取得しておき、記憶手段５に記憶しておくこととする。このコンテンツ購入要求生成手段３１で生成されたコンテンツ購入要求は、コンテンツ購入要求送信手段２１を介してコンテンツ提供装置１０に送信される。
【００５６】
コンテンツ配信要求生成手段（コンテンツ要求手段）３２は、コンテンツ提供装置１０にコンテンツの配信を要求するためのメッセージであるコンテンツ配信要求を生成するものである。このコンテンツ配信要求生成手段３２は、表示制御手段７の画面制御手段７２を介して、コンテンツを選択するためのコンテンツ選択画面を表示し、操作ボタン等で選択されたコンテンツの識別情報（コンテンツＩＤ）を、操作制御手段６を介して取得する。そして、コンテンツ配信要求生成手段３２は、選択されたコンテンツの識別情報（コンテンツＩＤ）を含んだアサーションを記憶手段５から読み出し、当該アサーションを含んだコンテンツ配信要求を生成する。このコンテンツ配信要求生成手段３２で生成されたコンテンツ配信要求は、コンテンツ配信要求送信手段２３を介してコンテンツ提供装置１０に送信される。
【００５７】
証明書転送手段３３は、記憶手段５に記憶されているアサーションを、証明書入出力手段４を介して、他のコンテンツ視聴端末に転送するものである。この証明書転送手段３３は、操作制御手段６を介して、視聴者から、操作ボタン等によって、アサーションの移動の指示があった場合、記憶手段５に記憶されているアサーションを読み出し、証明書入出力手段４に対して、アサーションを出力する指示命令を出力する。
【００５８】
また、証明書転送手段３３は、アサーションの移動の指示があった場合、表示制御手段７の画面制御手段７２を介して、「メモリカードを挿入してください」等のメッセージを表示することで、視聴者に操作方法を提示することしてもよい。なお、証明書転送手段３３は、アサーションを転送する際に、後記する出力時刻付加手段３６によって、アサーションに有効時間を特定するための出力時刻を付加しておく。また、アサーション転送後、証明書転送手段３３は、記憶手段５に記憶されているアサーションを削除することとする。
【００５９】
転送証明書取得手段３４は、証明書入出力手段４から、アサーションの入力が通知された場合に、当該アサーションを記憶手段５に記憶することで、他のコンテンツ視聴端末からアサーションを取得するものである。
【００６０】
中断情報付加手段３５は、操作ボタン等によって、操作制御手段６を介して、コンテンツの再生が中断された場合に、中断した時刻を示すタイムスタンプを当該コンテンツに対応するアサーションに付加するものである。この中断情報付加手段３５は、操作制御手段６から、コンテンツの再生が中断されたことを通知された段階で、記憶手段５に記憶されているアサーションにタイムスタンプを付加する。
【００６１】
出力時刻付加手段３６は、アサーションが他のコンテンツ視聴端末に転送される際に、アサーションに有効時間を特定するための出力時刻を示す情報を付加するものである。ここでは、出力時刻付加手段３６は、証明書転送手段３３から入力されるアサーションに出力時刻を付加し、証明書転送手段３３に出力することとする。
【００６２】
証明書有効判定手段３７は、他のコンテンツ視聴端末から入力されたアサーションが有効なものであるか否かを判定するものである。ここでは、証明書有効判定手段３７は、アサーションＣに付加されている出力時刻（図２参照）から、予め定めた時間（例えば、３０分）を経過しているアサーションは無効であると判定する。これによって、無効なアサーションが、継続して存在することを防止することができる。
【００６３】
この証明書有効判定手段３７は、コンテンツ配信要求生成手段３２がコンテンツ配信要求を生成する際に、アサーションに出力時刻が記載されている場合に、当該出力時刻に基づいて、アサーションが有効であるか否かを判定することとする。
【００６４】
証明書入出力手段４は、他のコンテンツ視聴端末からアサーションを入力したり、他のコンテンツ視聴端末にアサーションを出力したりするものである。この証明書入出力手段４は、例えば、非接触ＩＣカードの読み出し／書き込み装置であってもよいし、メモリカードの読み出し／書き込み装置であってもよい。
ここでは、証明書入出力手段４は、証明書転送手段３３からの指示に基づいて、アサーションを他のコンテンツ視聴端末に出力する。また、証明書入出力手段４は、他のコンテンツ視聴端末からアサーションが入力された場合、転送証明書取得手段３４に対してその旨を通知する。
【００６５】
記憶手段５は、当該コンテンツ視聴端末１固有の識別情報、アサーション等を記憶するものであって、半導体メモリ、ハードディスク等の記憶装置である。
【００６６】
操作制御手段（コンテンツ中断指示手段）６は、視聴者からの操作指示を各手段に通知するものである。例えば、コンテンツ視聴端末１をテレビ受像機１ａとした場合、操作制御手段６は、リモコン（図示せず）からの赤外線信号を取得し、リモコンのボタン信号（キーコード）に変換した後に、各手段に通知する。また、例えば、コンテンツ視聴端末１を携帯電話１ｂとした場合、操作制御手段６は、操作ボタン（図示せず）の押下により入力された信号をボタン信号（キーコード）に変換した後に、各手段に通知する。この操作制御手段６は、例えば、操作ボタンで「中断ボタン」が押下された場合、コンテンツ再生手段７１に再生中断の指示を出力するとともに、中断情報付加手段３５に中断された旨を通知する。
【００６７】
表示制御手段７は、当該コンテンツ視聴端末１が表示する画面のデータを制御するものである。ここでは、表示制御手段７は、コンテンツ再生手段７１と、画面制御手段７２とを備えている。
【００６８】
コンテンツ再生手段７１は、コンテンツ受信手段２４で受信したコンテンツを再生するものである。ここで再生されたコンテンツは、図示を省略した表示装置に出力（表示）される。このコンテンツ再生手段７１は、例えば、ＭＰＥＧ２等の符号化方式によって符号化された映像・音声コンテンツを再生（復号）する機能を有している。なお、コンテンツ再生手段７１は、操作制御手段６から、再生中断の指示が通知された場合、コンテンツの再生を中断する。
【００６９】
画面制御手段７２は、視聴者が当該コンテンツ視聴端末１に指示を与えるための画面を、図示を省略した表示装置に表示するものである。この画面には、例えば、視聴するコンテンツを選択するためのコンテンツ選択画面、ユーザＩＤ、パスワードを入力するための認証画面、アサーションＣを移動する際の操作内容を示す操作内容画面等が含まれる。
【００７０】
このようにコンテンツ視聴端末１を構成することで、コンテンツ視聴端末１は、相互にアサーションＣを移転することができ、視聴者が再度認証手続きを行うことなく、コンテンツを視聴する端末を変更することができる。
【００７１】
なお、ここでは、コンテンツ視聴端末１を図３に示した構成としたが、図３に示したコンテンツ視聴端末１は、ネットワークＮを介してコンテンツを視聴する構成に特化したものである。すなわち、コンテンツ視聴端末１を、テレビ受像機１ａとして構成する場合には、図３の構成以外にも、放送波を介してコンテンツ（放送番組）を受信する放送受信手段、コンテンツを蓄積する蓄積手段等の一般的な構成を付加して構成することになる。
【００７２】
また、コンテンツ視聴端末１を携帯電話１ｂとして構成する場合は、図３の構成以外にも、発呼、着呼等の呼制御を行う呼制御手段、通話を行うための受話手段等の一般的な構成を付加して構成することになる。
【００７３】
なお、コンテンツ視聴端末１は、図示を省略したＣＰＵやメモリを搭載した一般的なコンピュータで実現することができる。このとき、コンテンツ視聴端末１は、コンピュータを、前記した各手段として機能させるコンテンツ視聴プログラムによって動作する。
【００７４】
［コンテンツ提供装置の構成］
次に、図４を参照（適宜図１参照）して、コンテンツ提供装置１０の構成について説明する。図４は、図１に示したコンテンツ提供装置の構成を示す機能ブロック図である。ここでは、コンテンツ提供装置１０は、ネットワーク通信手段１１０と、コンテンツ配信管理手段１２０と、記憶手段１３０とを備えている。
【００７５】
ネットワーク通信手段１１０は、インターネット等のネットワークＮを介して、コンテンツ視聴端末１との間で、各種情報を送受信するものである。ここでは、ネットワーク通信手段１１０は、コンテンツ購入要求受信手段１１１と、証明書送信手段１１２と、コンテンツ配信要求受信手段１１３と、コンテンツ送信手段１１４とを備えている。
【００７６】
コンテンツ購入要求受信手段（証明書要求受信手段）１１１は、コンテンツ視聴端末１から送信されるコンテンツ購入要求（証明書要求）を受信するものである。このコンテンツ購入要求受信手段１１１で受信されたコンテンツ購入要求は、証明書生成手段１２１に出力される。
【００７７】
証明書送信手段１１２は、証明書生成手段１２１で生成された証明書であるアサーション（視聴権利証明書）を、要求のあったコンテンツ視聴端末１に送信するものである。
コンテンツ配信要求受信手段１１３は、コンテンツ視聴端末１から送信されるコンテンツ配信要求を受信するものである。このコンテンツ配信要求受信手段１１３で受信されたコンテンツ配信要求は、コンテンツ配信手段１２３に出力される。
【００７８】
コンテンツ送信手段１１４は、コンテンツ配信手段１２３から出力されるコンテンツを、要求のあったコンテンツ視聴端末１に送信するものである。なお、コンテンツ送信手段１１４は、コンテンツ送信中に、コンテンツ視聴端末１から、コンテンツの配信の停止が指示された場合、コンテンツの送信を停止する。
【００７９】
コンテンツ配信管理手段１２０は、コンテンツを配信するための認証およびコンテンツの管理を行うものである。ここでは、コンテンツ配信管理手段１２０は、証明書生成手段１２１と、認証手段１２２と、コンテンツ配信手段１２３とを備えている。
【００８０】
証明書生成手段１２１は、コンテンツの視聴契約を行った視聴者（コンテンツ視聴端末１）に対して、アサーション（視聴権利証明書：図２参照）を生成するものである。ここでは、証明書生成手段１２１は、コンテンツ購入要求受信手段１１１で受信されたコンテンツ購入要求（証明書要求）を認証手段１２２により認証し、コンテンツを視聴するための契約を行った正規の視聴者であることを認証した場合にのみ、アサーションを生成する。
【００８１】
認証手段１２２は、コンテンツ購入要求（証明書要求）に含まれるユーザＩＤ等の認証データ、または、コンテンツ配信要求に含まれるアサーションに基づいて、当該要求が契約のある視聴者、あるいは、コンテンツ視聴端末１からの要求であるか否かを認証するものである。
【００８２】
ここでは、認証手段１２２は、コンテンツ購入要求受信手段１１１で受信されたコンテンツ購入要求（証明書要求）に含まれる認証データを、記憶手段１３０に予め登録情報の一部として記憶されている視聴者のユーザＩＤ、パスワードと照合することで認証を行う。この認証結果は、証明書生成手段１２１に出力される。
【００８３】
また、認証手段１２２は、コンテンツ配信手段１２３で受信されたコンテンツ配信要求に含まれるアサーションの内、記憶手段１３０に予め登録情報の一部として記憶されているライセンス情報と照合することで認証を行う。この認証結果は、コンテンツ配信手段１２３に出力される。
【００８４】
コンテンツ配信手段１２３は、記憶手段１３０に記憶されている配信用のコンテンツを要求のあったコンテンツ視聴端末１に配信するものである。このコンテンツ配信手段１２３は、コンテンツ配信要求受信手段１１３で受信されたコンテンツ要求を認証手段１２２により認証し、正規の視聴者（コンテンツ視聴端末１）からの要求である場合にのみ、コンテンツを配信する。
【００８５】
なお、コンテンツ配信手段１２３は、アサーションにコンテンツ中断情報（図２参照）が記載されている場合、記憶手段１３０において、コンテンツ中断情報で示されるタイムスタンプ位置に相当する位置から、コンテンツを読み出して、順次配信する。これによって、コンテンツ提供装置１０は、コンテンツ視聴端末１から通知されるコンテンツ中断情報によって、コンテンツを途中から配信することができる。また、このとき、コンテンツ提供装置１０は、コンテンツの視聴が中断されていることを管理する必要がない。
【００８６】
記憶手段１３０は、視聴者ごとに、視聴者の認証用データ等を登録情報として記憶したり、配信するコンテンツを記憶したりするものであって、ハードディスク等の一般的な記憶装置である。ここで、登録情報は、視聴者が正規の契約ユーザであることを示す情報であって、例えば、視聴者を認証するための認証用データ（例えば、ユーザＩＤ、パスワード）、コンテンツの契約内容等である。
【００８７】
このようにコンテンツ提供装置１０を構成することで、コンテンツ提供装置１０は、正規に契約した視聴者（コンテンツ視聴端末１）に対してのみ、コンテンツを配信することができる。また、コンテンツ提供装置１０は、アサーションによって、コンテンツの視聴の中断、再開を認識することができるため、コンテンツの中断の管理を行うことなく、コンテンツの配信の中断、再開を行うことができる。
【００８８】
［コンテンツ配信システムの動作］
次に、図５および図６を参照して、コンテンツ配信システムＳの動作について説明する。図５は、図１に示したコンテンツ配信システムにおいて、アサーションを移動する基本動作を示したシーケンス図である。図６は、図１に示したコンテンツ配信システムにおいて、コンテンツの視聴を中断し、他のコンテンツ視聴端末で視聴を再開する動作を示すシーケンス図である。なお、ここでは、携帯電話１ｂでアサーションを取得し、テレビ受像機１ａにアサーションを移動する例について説明するが、コンテンツ視聴端末１間であれば、アサーションの移動元、移動先はどの組み合わせであっても構わない。
【００８９】
（アサーション移動：基本動作）
最初に、図５を参照（構成については、適宜図３、図４参照）して、アサーションを移動する基本動作について説明する。
【００９０】
まず、携帯電話１ｂは、視聴者からの要求に応じて、コンテンツを購入するための要求であるコンテンツ購入要求をコンテンツ提供装置１０に送信する（ステップＳ１）。具体的には、携帯電話１ｂは、画面制御手段７２によって認証画面を表示することで、ユーザＩＤ、パスワードを受け付け、コンテンツ選択画面を表示することで、視聴者が視聴したいコンテンツの選択を受け付ける。そして、携帯電話１ｂは、コンテンツ購入要求生成手段３１によって、携帯電話１ｂの識別情報と、視聴者を認証するための認証用データと、視聴者が視聴（購入）を希望するコンテンツを特定する情報とを含んだメッセージであるコンテンツ購入要求を生成し、コンテンツ購入要求送信手段２１によって、コンテンツ購入要求をコンテンツ提供装置１０に送信する。
【００９１】
そして、コンテンツ提供装置１０は、携帯電話１ｂから受信したコンテンツ購入要求に応じて認証等を行い、コンテンツの視聴の契約を行ったことを示すアサーションＣを携帯電話１ｂに送信する（ステップＳ２）。具体的には、コンテンツ提供装置１０は、コンテンツ購入要求受信手段１１１によって、コンテンツ購入要求を受信する。そして、コンテンツ提供装置１０は、認証手段１２２によって、コンテンツ購入要求に含まれているユーザＩＤ等によってユーザ認証を行う。そして、コンテンツ提供装置１０は、コンテンツ購入要求が正規の視聴者からの要求である場合にのみ、証明書生成手段１２１によってアサーションを生成し、証明書送信手段１１２によってアサーションを携帯電話１ｂに送信する。一方、携帯電話１ｂは、証明書受信手段２２によってアサーションを受信し、記憶手段５に記憶する。
【００９２】
その後、視聴者が、コンテンツの視聴をテレビ受像機１ａにおいて行う場合、アサーションを携帯電話１ｂから、テレビ受像機１ａに移動させる（ステップＳ３）。具体的には、携帯電話１ｂは、証明書転送手段３３によって、記憶手段５に記憶されているアサーションを読み出して、証明書入出力手段４を介して、アサーションを出力する。一方、テレビ受像機１ａは、転送証明書取得手段３４によって、証明書入出力手段４を介して、アサーションを取得し記憶手段５に記憶する。これによって、アサーションが、携帯電話１ｂからテレビ受像機１ａに移動したことになる。
【００９３】
そして、視聴者がテレビ受像機１ａにおいてコンテンツを視聴する際に、テレビ受像機１ａは、コンテンツの配信を要求するためのコンテンツ配信要求をコンテンツ提供装置１０に送信する（ステップＳ４）。具体的には、テレビ受像機１ａは、画面制御手段７２によってコンテンツ選択画面を表示することで、視聴者が視聴したいコンテンツの選択を受け付ける。そして、テレビ受像機１ａは、コンテンツ配信要求生成手段３２によって、選択されたコンテンツに対応するアサーションを記憶手段５から読み出し、当該アサーションを含んだコンテンツ配信要求を生成し、コンテンツ購入要求送信手段２１によって、コンテンツ配信要求をコンテンツ提供装置１０に送信する。
【００９４】
そして、コンテンツ提供装置１０は、テレビ受像機１ａから受信したコンテンツ配信要求に含まれているアサーションの照合を行う（ステップＳ５）。具体的には、コンテンツ提供装置１０は、コンテンツ配信要求受信手段１１３によって、コンテンツ配信要求を受信する。そして、コンテンツ提供装置１０は、認証手段１２２によって、コンテンツ配信要求に含まれているアサーションと、記憶手段１３０に記憶されている登録情報との照合を行うことで、コンテンツ配信要求が正規に契約した視聴者からの要求であるか否かを判定する。
【００９５】
そして、コンテンツ提供装置１０は、ステップＳ５の照合結果で、コンテンツ配信要求が正規に契約した視聴者からの要求であると判定した場合、要求のあったコンテンツをテレビ受像機１ａに送信する（ステップＳ６）。具体的には、コンテンツ提供装置１０は、コンテンツ配信手段１２３によって、認証手段１２２で認証されたアサーションに記述されているコンテンツＩＤに対応するコンテンツを記憶手段１３０から読み出して、コンテンツ送信手段１１４を介して、テレビ受像機１ａに送信する。
【００９６】
その後、テレビ受像機１ａは、コンテンツ提供装置１０から受信したコンテンツを再生する（ステップＳ７）。具体的には、テレビ受像機１ａは、コンテンツ受信手段２４によって、コンテンツ提供装置１０から送信されるコンテンツを受信する。そして、テレビ受像機１ａは、コンテンツ再生手段７１によって、コンテンツを復号等の処理によって視聴可能なデータ形式に変換し、図示を省略した液晶ディスプレイ等の表示装置に出力する。
【００９７】
以上の動作によって、携帯電話１ｂで認証等を行い取得したアサーションを、テレビ受像機１ａに移動させることができる。また、テレビ受像機１ａでは、視聴者が認証等の手続きをすることなく、コンテンツを視聴することができる。
【００９８】
（アサーション移動：コンテンツ中断再開動作）
次に、図６を参照（構成については、適宜図３、図４参照）して、コンテンツの視聴を中断し、他のコンテンツ視聴端末で視聴を再開する動作について説明する。
【００９９】
まず、携帯電話１ｂは、視聴者からの要求に応じて、コンテンツを購入するための要求であるコンテンツ購入要求をコンテンツ提供装置１０に送信する（ステップＳ１０）。
【０１００】
そして、コンテンツ提供装置１０は、携帯電話１ｂから受信したコンテンツ購入要求に応じて認証等を行い、コンテンツの視聴の契約を行ったことを示すアサーションＣを携帯電話１ｂに送信する（ステップＳ１１）。なお、ステップＳ１０およびステップＳ１１は、それぞれ、図５で説明したステップＳ１およびステップＳ２の動作と同じものであるため、詳細な説明は省略する。ここまでの動作で、視聴者が要求したコンテンツに対応するアサーションが、携帯電話１ｂに記憶されることになる。
【０１０１】
そして、視聴者が携帯電話１ｂにおいてコンテンツを視聴する際に、携帯電話１ｂは、コンテンツの配信を要求するためのコンテンツ配信要求をコンテンツ提供装置１０に送信する（ステップＳ１２）。
【０１０２】
そして、コンテンツ提供装置１０は、携帯電話１ｂから受信したコンテンツ配信要求に含まれているアサーションの照合を行う（ステップＳ１３）。その後、コンテンツ提供装置１０は、ステップＳ１２の照合結果で、コンテンツ配信要求が正規に契約した視聴者からの要求であると判定した場合、要求のあったコンテンツを携帯電話１ｂに送信する（ステップＳ１４）。
【０１０３】
そして、携帯電話１ｂは、コンテンツ提供装置１０から受信したコンテンツを再生する（ステップＳ１５）。なお、ステップＳ１２からステップＳ１５までの動作は、それぞれ、図５で説明したステップＳ４からステップＳ７の携帯電話１ｂの動作がテレビ受像機１ａの動作に変わったものであり基本的な動作は同一であるため、詳細な説明は省略する。ここまでの動作で、携帯電話１ｂにおいて、視聴者が所望のコンテンツを視聴することができる。
【０１０４】
ここで、視聴者が、コンテンツを視聴する端末を、携帯電話１ｂからテレビ受像機１ａに変更する場合、携帯電話１ｂは、視聴者からの指示によりコンテンツ再生を中断し、アサーションをテレビ受像機１ａに移動させる（ステップＳ１６）。具体的には、携帯電話１ｂは、操作制御手段６によって、視聴者の操作ボタン（図示せず）の押下により「中断ボタン」が押下されたことを検出し、コンテンツ再生手段７１において、コンテンツの再生を中断する。
【０１０５】
また、「中断ボタン」の押下されたタイミングで、携帯電話１ｂは、中断情報付加手段３５によって、記憶手段５に記憶されているアサーションに、中断した時刻を示すタイムスタンプを中断情報として付加する。その後、携帯電話１ｂは、証明書転送手段３３によって、証明書入出力手段４を介して、中断情報等が付加されたアサーションを出力する。なお、このとき、アサーションには、出力時刻付加手段３６によって、有効時間を特定するための出力時刻をさらに付加することとする。
【０１０６】
一方、テレビ受像機１ａは、転送証明書取得手段３４によって、証明書入出力手段４を介して、アサーションを取得し記憶手段５に記憶する。これによって、アサーションが、携帯電話１ｂからテレビ受像機１ａに移動したことになる。
【０１０７】
そして、視聴者がテレビ受像機１ａにおいてコンテンツの視聴を再開する際に、テレビ受像機１ａは、コンテンツの配信を要求するためのコンテンツ配信要求をコンテンツ提供装置１０に送信する（ステップＳ１７）。具体的には、テレビ受像機１ａは、画面制御手段７２によってコンテンツ選択画面を表示することで、視聴者が視聴したい（視聴を再開したい）コンテンツの選択を受け付ける。そして、テレビ受像機１ａは、コンテンツ配信要求生成手段３２によって、選択されたコンテンツに対応するアサーションを記憶手段５から読み出し、当該アサーションを含んだコンテンツ配信要求を生成し、コンテンツ購入要求送信手段２１によって、コンテンツ購入要求をコンテンツ提供装置１０に送信する。なお、視聴を再開したいコンテンツに対応するアサーションには、中断情報以外に、出力時刻が付加されているため、テレビ受像機１ａは、証明書有効判定手段３７によって、アサーションを送信する前に、アサーションが有効なものであるか否かを判定し、有効でない場合、すなわち、所定の有効時間が経過しているアサーションについては、廃棄することとする。
【０１０８】
そして、コンテンツ提供装置１０は、テレビ受像機１ａから受信したコンテンツ配信要求に含まれているアサーションの照合を行う（ステップＳ１８）。なお、このステップＳ１８の動作は、図５で説明したステップＳ５の動作と同じものであるため、詳細な説明は省略する。
【０１０９】
そして、コンテンツ提供装置１０は、ステップＳ１８の照合結果で、コンテンツ配信要求が正規に契約した視聴者からの要求であると判定した場合、要求のあったコンテンツをテレビ受像機１ａに送信する（ステップＳ１９）。具体的には、コンテンツ提供装置１０は、コンテンツ配信手段１２３によって、認証手段１２２で認証されたアサーションに記述されているコンテンツＩＤに対応するコンテンツを、アサーションに記述されている中断情報（タイムスタンプ）に相当する位置から読み出して、コンテンツ送信手段１１４を介して、テレビ受像機１ａに送信する。
【０１１０】
その後、テレビ受像機１ａは、コンテンツ提供装置１０から受信したコンテンツを再生する（ステップＳ２０）。なお、このステップＳ２０の動作は、図５で説明したステップＳ７の動作と同じものであるため、詳細な説明は省略する。
【０１１１】
以上の動作によって、携帯電話１ｂで視聴を中断したコンテンツを、アサーションを移動することで、視聴者が認証等の手続きをすることなく、テレビ受像機１ａにおいてコンテンツの再生を再開することができる。
【０１１２】
以上、本発明の実施形態において、コンテンツ配信システムの構成および動作について説明したが、本発明はこの実施形態に限定されるものではない。ここでは、コンテンツ提供装置１０において、コンテンツの配信と、アサーションの認証とを行う機能を有する装置として説明したが、コンテンツの配信と、アサーションの認証とを分離した装置で行うことも可能である。
以下、コンテンツ提供装置１０の機能を分離して構成したシステムの構成例について第２実施形態として説明する。
【０１１３】
［第２実施形態：コンテンツ配信システムの構成］
図７を参照して、本発明に係るコンテンツ視聴端末を含んだコンテンツ配信システムの構成について説明する。図７は、本発明に係るコンテンツ視聴端末を含んだコンテンツ配信システムの第２実施形態のシステム構成図である。
【０１１４】
コンテンツ配信システムＳＢは、コンテンツを提供するプロバイダから、視聴者側からの要求に応じてコンテンツ視聴端末１にコンテンツを配信するものである。ここでは、コンテンツ配信システムＳＢは、相互にネットワークＮを介して接続された複数のコンテンツ視聴端末１（ここでは、テレビ受像機１ａ、携帯電話１ｂ）と、複数のコンテンツ提供装置１０Ｂ，１０Ｂ，…と、認証管理装置２０とを備えている。
【０１１５】
コンテンツ視聴端末１は、図３で説明したコンテンツ視聴端末１と同様のものである。
コンテンツ提供装置１０Ｂは、図４で説明したコンテンツ提供装置１０からアサーションの認証機能を省いたものである。
認証管理装置２０は、複数のコンテンツ提供装置１０Ｂにおけるアサーションの認証処理を行うものである。
【０１１６】
ここでは、コンテンツ視聴端末１は、認証管理装置２０から、コンテンツを視聴するためのアサーションを取得する。なお、コンテンツ視聴端末１は、図１で説明したように、各コンテンツ視聴端末１の間で、アサーションＣを移動することで、コンテンツを視聴する権利を移譲する。
【０１１７】
また、コンテンツ視聴端末１は、コンテンツの配信をコンテンツ提供装置１０Ｂに要求する際にアサーションを付加することとする。そして、コンテンツ提供装置１０Ｂは、アサーションＣを認証管理装置２０により照合してもらうことで、契約済みの視聴者からの要求であることを判定し、コンテンツを配信する。
【０１１８】
このようにコンテンツ配信システムＳＢを構成することで、視聴者の認証が認証管理装置２０で一元管理されるため、視聴者が、複数のコンテンツ提供装置１０Ｂにログインして、コンテンツを視聴する場合であっても、視聴者が行う認証手続きは１回で済み、視聴者の手間を省くことができる。
【０１１９】
［コンテンツ提供装置の構成］
次に、図８を参照（適宜図７参照）して、コンテンツ提供装置１０Ｂの構成について説明する。図８は、図７に示したコンテンツ提供装置の構成を示す機能ブロック図である。ここでは、コンテンツ提供装置１０Ｂは、ネットワーク通信手段１１０Ｂと、コンテンツ配信管理手段１２０Ｂと、記憶手段１３０Ｂとを備えている。
【０１２０】
ネットワーク通信手段１１０Ｂは、インターネット等のネットワークＮを介して、コンテンツ視聴端末１や認証管理装置２０との間で、各種情報を送受信するものである。ここでは、ネットワーク通信手段１１０Ｂは、コンテンツ配信要求受信手段１１３と、コンテンツ送信手段１１４と、認証照合要求送信手段１１５と、認証照合結果受信手段１１６とを備えている。なお、コンテンツ配信要求受信手段１１３およびコンテンツ送信手段１１４は、図４で説明したコンテンツ提供装置１０と同一の構成であるため、同一の符号を付して説明を省略する。
【０１２１】
認証照合要求送信手段１１５は、後記する認証照合要求生成手段１２４で生成された認証照合要求を認証管理装置２０に送信するものである。この認証照合要求に応じて、認証管理装置２０から、認証の照合結果を示す認証照合結果が送信されることになる。
【０１２２】
認証照合結果受信手段１１６は、認証管理装置２０から送信される認証照合結果を受信するものである。この認証照合結果受信手段１１６で受信された認証照合結果は、コンテンツ配信手段１２３Ｂに出力される。
【０１２３】
コンテンツ配信管理手段１２０Ｂは、配信するコンテンツを管理するものである。なお、このコンテンツ配信管理手段１２０Ｂは、コンテンツ視聴端末１から、コンテンツの配信要求があった場合、コンテンツを配信するための認証が行われているか否かの照合を認証管理装置２０に問合せる。ここでは、コンテンツ配信管理手段１２０は、コンテンツ配信手段１２３Ｂと、認証照合要求生成手段１２４とを備えている。
【０１２４】
コンテンツ配信手段１２３Ｂは、記憶手段１３０Ｂに記憶されている配信用のコンテンツを要求のあったコンテンツ視聴端末１に配信するものである。このコンテンツ配信手段１２３Ｂは、コンテンツ配信要求受信手段１１３で受信されたコンテンツ要求に含まれているアサーションを認証照合要求生成手段１２４に出力する。そして、コンテンツ配信手段１２３Ｂは、認証照合結果受信手段１１６を介して、認証管理装置２０から認証照合結果を受信し、コンテンツ配信要求が正規の契約がなされた視聴者からの要求であると判定された場合にのみ、コンテンツ送信手段１１４を介して、コンテンツをコンテンツ視聴端末１に送信する。
【０１２５】
なお、コンテンツ配信手段１２３Ｂは、アサーションにコンテンツ中断情報（図２参照）が記載されている場合、記憶手段１３０Ｂにおいて、コンテンツ中断情報で示されるタイムスタンプ位置に相当する位置から、コンテンツを読み出して、順次配信する。これによって、コンテンツ提供装置１０Ｂは、コンテンツ視聴端末１から通知されるコンテンツ中断情報によって、コンテンツを途中から配信することができる。また、このとき、コンテンツ提供装置１０Ｂは、コンテンツの視聴が中断されていることを管理する必要がない。
【０１２６】
認証照合要求生成手段１２４は、コンテンツ配信要求が正規の契約がなされた視聴者からの要求であるか否かを認証管理装置２０に照合してもらうための要求（認証照合要求）を生成するものである。この認証照合要求には、コンテンツ配信手段１２３Ｂから出力されるアサーションを付加するものとする。
【０１２７】
記憶手段１３０Ｂは、配信するコンテンツを記憶しておくものであって、ハードディスク等の一般的な記憶装置である。
【０１２８】
このようにコンテンツ提供装置１０Ｂを構成することで、コンテンツ提供装置１０Ｂは、正規に契約した視聴者（コンテンツ視聴端末１）に対してのみ、コンテンツを配信することができる。また、コンテンツ提供装置１０は、アサーションによって、コンテンツの視聴の中断、再開を認識することができるため、コンテンツの中断の管理を行うことなく、コンテンツの配信の中断、再開を行うことができる。
【０１２９】
［認証管理装置の構成］
次に、図９を参照（適宜図７参照）して、認証管理装置２０の構成について説明する。図９は、図７に示した認証管理装置の構成を示す機能ブロック図である。ここでは、認証管理装置２０は、ネットワーク通信手段２１０と、認証状況管理手段２２０と、記憶手段２３０とを備えている。
【０１３０】
ネットワーク通信手段２１０は、インターネット等のネットワークＮを介して、コンテンツ視聴端末１やコンテンツ提供装置１０Ｂとの間で、各種情報を送受信するものである。ここでは、ネットワーク通信手段２１０は、コンテンツ購入要求受信手段１１１と、証明書送信手段１１２と、認証照合要求受信手段２１１と、認証照合結果送信手段２１２とを備えている。なお、コンテンツ購入要求受信手段１１１および証明書送信手段１１２は、図４で説明したコンテンツ提供装置１０と同一の構成であるため、同一の符号を付して説明を省略する。
【０１３１】
認証照合要求受信手段２１１は、コンテンツ提供装置１０Ｂから送信される認証照合要求を受信するものである。この認証照合要求受信手段２１１で受信された認証照合要求は、後記する認証手段２２１に出力される。
認証照合結果送信手段２１２は、後記する認証照合結果生成手段２２２で生成された認証照合結果をコンテンツ提供装置１０Ｂに送信するものである。
【０１３２】
認証状況管理手段２２０は、コンテンツ視聴端末１の認証状況を管理するものである。ここでは、認証状況管理手段２２０は、証明書生成手段１２１と、認証手段２２１と、認証照合結果生成手段２２２とを備えている。なお、証明書生成手段１２１は、図４で説明したコンテンツ提供装置１０と同一の構成であるため、同一の符号を付して説明を省略する。
【０１３３】
認証手段２２１は、コンテンツ購入要求（証明書要求）に含まれるユーザＩＤ等の認証データに基づいて、当該要求が契約のある視聴者、あるいは、コンテンツ視聴端末１からの要求であるか否かを認証するものである。
【０１３４】
ここでは、認証手段２２１は、コンテンツ購入要求受信手段１１１で受信されたコンテンツ購入要求（証明書要求）に含まれる認証データを、記憶手段２３０に予め登録情報の一部として記憶されている視聴者のユーザＩＤ、パスワードと照合することで認証を行う。この認証結果は、証明書生成手段１２１に出力される。なお、認証が行われた場合、認証手段２２１は、すでに当該視聴者が認証済みである旨の認証状況を記憶手段２３０に記憶する。
【０１３５】
認証照合結果生成手段２２２は、認証照合要求受信手段２１１で受信された認証照合要求に付加されているアサーションに対応する視聴者（コンテンツ視聴端末１）の認証の状況を、記憶手段２３０に記憶されている認証状況と照合することで、当該視聴者（コンテンツ視聴端末１）が、すでに認証を行っているか否かを判定するものである。なお、この照合結果（認証照合結果）は、認証照合結果送信手段２１２を介して、コンテンツ提供装置１０Ｂに出力される。
【０１３６】
記憶手段２３０は、視聴者ごとに、視聴者の認証用データ等を登録情報として記憶しておくものであって、ハードディスク等の一般的な記憶装置である。ここで、登録情報は、視聴者が正規の契約ユーザであることを示す情報であって、例えば、視聴者を認証するための認証用データ（例えば、ユーザＩＤ、パスワード）、コンテンツの契約内容等である。さらに、記憶手段２３０には、視聴者が認証を行った状況を認証状況として記憶しておく。この認証状況は、例えば、視聴者がまだログイン認証を行っていない、視聴者がログイン認証を行った状態である、等の状態を示すものである。このように認証状況を記憶しておくことで、認証済みの視聴者に対して再度同様の認証を行う手間を省略することができる。
【０１３７】
［コンテンツ配信システムの動作］
次に、図１０および図１１を参照して、コンテンツ配信システムＳＢの動作について説明する。図１０は、図７に示したコンテンツ配信システムにおいて、アサーションを移動する基本動作を示したシーケンス図である。図１１は、図７に示したコンテンツ配信システムにおいて、コンテンツの視聴を中断し、他のコンテンツ視聴端末で視聴を再開する動作を示すシーケンス図である。なお、ここでは、携帯電話１ｂでアサーションを取得し、テレビ受像機１ａにアサーションを移動する例について説明するが、コンテンツ視聴端末１間であれば、アサーションの移動元、移動先はどの組み合わせであっても構わない。
【０１３８】
（アサーション移動：基本動作）
最初に、図１０を参照（構成については、適宜図３、図８、図９参照）して、アサーションを移動する基本動作について説明する。
【０１３９】
まず、携帯電話１ｂは、視聴者からの要求に応じて、コンテンツを購入するための要求であるコンテンツ購入要求を認証管理装置２０に送信する（ステップＳ３０）。具体的には、携帯電話１ｂは、画面制御手段７２によって認証画面を表示することで、ユーザＩＤ、パスワードを受け付け、コンテンツ選択画面を表示することで、視聴者が視聴したいコンテンツの選択を受け付ける。そして、携帯電話１ｂは、コンテンツ購入要求生成手段３１によって、携帯電話１ｂの識別情報と、視聴者を認証するための認証用データと、視聴者が視聴（購入）を希望するコンテンツを特定する情報とを含んだメッセージであるコンテンツ購入要求を生成し、コンテンツ購入要求送信手段２１によって、コンテンツ購入要求を認証管理装置２０に送信する。
【０１４０】
そして、認証管理装置２０は、携帯電話１ｂから受信したコンテンツ購入要求に応じて認証等を行い、コンテンツの視聴の契約を行ったことを示すアサーションＣを携帯電話１ｂに送信する（ステップＳ３１）。具体的には、認証管理装置２０は、コンテンツ購入要求受信手段１１１によって、コンテンツ購入要求を受信する。そして、認証管理装置２０は、認証手段２２１によって、コンテンツ購入要求に含まれているユーザＩＤ等によってユーザ認証を行う。そして、認証管理装置２０は、コンテンツ購入要求が正規の視聴者からの要求である場合にのみ、証明書生成手段１２１によってアサーションを生成し、証明書送信手段１１２によってアサーションを携帯電話１ｂに送信する。また、認証手段２２１は、認証状況を記憶手段２３０に記憶する。一方、携帯電話１ｂは、証明書受信手段２２によってアサーションを受信し、記憶手段５に記憶する。
【０１４１】
その後、視聴者が、コンテンツの視聴をテレビ受像機１ａにおいて行う場合、アサーションを携帯電話１ｂから、テレビ受像機１ａに移動させる（ステップＳ３２）。具体的には、携帯電話１ｂは、証明書転送手段３３によって、記憶手段５に記憶されているアサーションを読み出して、証明書入出力手段４を介して、アサーションを出力する。一方、テレビ受像機１ａは、転送証明書取得手段３４によって、証明書入出力手段４を介して、アサーションを取得し記憶手段５に記憶する。これによって、アサーションが、携帯電話１ｂからテレビ受像機１ａに移動したことになる。
【０１４２】
そして、視聴者がテレビ受像機１ａにおいてコンテンツを視聴する際に、テレビ受像機１ａは、コンテンツの配信を要求するためのコンテンツ配信要求をコンテンツ提供装置１０Ｂに送信する（ステップＳ３３）。具体的には、テレビ受像機１ａは、画面制御手段７２によってコンテンツ選択画面を表示することで、視聴者が視聴したいコンテンツの選択を受け付ける。そして、テレビ受像機１ａは、コンテンツ配信要求生成手段３２によって、選択されたコンテンツに対応するアサーションを記憶手段５から読み出し、当該アサーションを含んだコンテンツ配信要求を生成し、コンテンツ購入要求送信手段２１によって、コンテンツ購入要求をコンテンツ提供装置１０Ｂに送信する。
【０１４３】
続けて、コンテンツ提供装置１０Ｂは、アサーションの認証を行うための認証照合要求を認証管理装置２０に送信する（ステップＳ３４）。具体的には、コンテンツ提供装置１０Ｂは、コンテンツ配信要求受信手段１１３を介して、コンテンツ配信要求を受信後、認証照合要求生成手段１２４によって、コンテンツ配信要求に付加されているアサーションを認証照合要求として、認証照合要求送信手段１１５を介して、認証管理装置２０に送信する。
【０１４４】
そして、認証管理装置２０は、コンテンツ提供装置１０Ｂから受信した認証照合要求に含まれているアサーションの照合を行う（ステップＳ３５）。具体的には、認証管理装置２０は、認証照合要求受信手段２１１によって、認証照合要求を受信する。そして、認証管理装置２０は、認証照合結果生成手段２２２によって、認証照合要求に含まれているアサーションと、記憶手段２３０に記憶されている認証状況との照合を行うことで、アサーションが正規に契約した視聴者のものであるか否かを判定する。
【０１４５】
そして、認証管理装置２０は、ステップＳ３５の照合結果を、要求のあったコンテンツ提供装置１０Ｂに送信する（ステップＳ３６）。具体的には、認証管理装置２０は、認証照合結果送信手段２１２によって、認証照合結果生成手段２２２で生成された認証照合結果をコンテンツ提供装置１０Ｂに送信する。
【０１４６】
そして、コンテンツ提供装置１０Ｂは、受信した認証照合結果で、コンテンツ配信要求が正規に契約した視聴者からの要求であると判定した場合、要求のあったコンテンツをテレビ受像機１ａに送信する（ステップＳ３７）。具体的には、コンテンツ提供装置１０Ｂは、コンテンツ配信手段１２３Ｂによって、認証照合結果において、コンテンツ配信要求が正規の契約がなされた視聴者からの要求であると判定された場合にのみ、コンテンツ配信要求に記述されているコンテンツＩＤに対応するコンテンツを記憶手段１３０Ｂから読み出して、コンテンツ送信手段１１４を介して、テレビ受像機１ａに送信する。
【０１４７】
その後、テレビ受像機１ａは、コンテンツ提供装置１０Ｂから受信したコンテンツを再生する（ステップＳ３８）。具体的には、テレビ受像機１ａは、コンテンツ受信手段２４によって、コンテンツ提供装置１０Ｂから送信されるコンテンツを受信する。そして、テレビ受像機１ａは、コンテンツ再生手段７１によって、コンテンツを復号等の処理によって視聴可能なデータ形式に変換し、図示を省略した液晶ディスプレイ等の表示装置に出力する。
【０１４８】
以上の動作によって、携帯電話１ｂで認証等を行い取得したアサーションを、テレビ受像機１ａに移動させることができる。また、テレビ受像機１ａでは、視聴者が認証等の手続きをすることなく、コンテンツを視聴することができる。
【０１４９】
（アサーション移動：コンテンツ中断再開動作）
次に、図１１を参照（構成については、適宜図３、図８、図９参照）して、コンテンツの視聴を中断し、他のコンテンツ視聴端末で視聴を再開する動作について説明する。
【０１５０】
まず、携帯電話１ｂは、視聴者からの要求に応じて、コンテンツを購入するための要求であるコンテンツ購入要求を認証管理装置２０に送信する（ステップＳ４０）。
【０１５１】
そして、認証管理装置２０は、携帯電話１ｂから受信したコンテンツ購入要求に応じて認証等を行い、コンテンツの視聴の契約を行ったことを示すアサーションＣを携帯電話１ｂに送信する（ステップＳ４１）。なお、ステップＳ４０およびステップＳ４１は、それぞれ、図１０で説明したステップＳ３０およびステップＳ３１の動作と同じものであるため、詳細な説明は省略する。ここまでの動作で、視聴者が要求したコンテンツに対応するアサーションが、携帯電話１ｂに記憶されることになる。
【０１５２】
そして、視聴者が携帯電話１ｂにおいてコンテンツを視聴する際に、携帯電話１ｂは、コンテンツの配信を要求するためのコンテンツ配信要求をコンテンツ提供装置１０Ｂに送信する（ステップＳ４２）。続けて、コンテンツ提供装置１０Ｂは、アサーションの認証を行うための認証照合要求を認証管理装置２０に送信する（ステップＳ４３）。
【０１５３】
そして、認証管理装置２０は、コンテンツ提供装置１０Ｂから受信した認証照合要求に含まれているアサーションの照合を行う（ステップＳ４４）。その後、認証管理装置２０は、ステップＳ４４の照合結果を、要求のあったコンテンツをコンテンツ提供装置１０Ｂに送信する（ステップＳ４５）。
【０１５４】
そして、コンテンツ提供装置１０Ｂは、受信した認証照合結果で、コンテンツ配信要求が正規に契約した視聴者からの要求であると判定した場合、要求のあったコンテンツを携帯電話１ｂに送信する（ステップＳ４６）。その後、携帯電話１ｂは、コンテンツ提供装置１０Ｂから受信したコンテンツを再生する（ステップＳ４７）。
【０１５５】
なお、ステップＳ４２からステップＳ４７までの動作は、それぞれ、図１０で説明したステップＳ３３からステップＳ３８において、コンテンツの要求元が、テレビ受像機１ａから携帯電話１ｂに変わったものであり基本的な動作は同一であるため、詳細な説明は省略する。ここまでの動作で、携帯電話１ｂにおいて、視聴者が所望のコンテンツを視聴することができる。
【０１５６】
ここで、視聴者が、コンテンツを視聴する端末を、携帯電話１ｂからテレビ受像機１ａに変更する場合、携帯電話１ｂは、視聴者からの指示によりコンテンツ再生を中断し、アサーションをテレビ受像機１ａに移動させる（ステップＳ４８）。具体的には、携帯電話１ｂは、操作制御手段６によって、視聴者の操作ボタン（図示せず）の押下により「中断ボタン」が押下されたことを検出し、コンテンツ再生手段７１において、コンテンツの再生を中断する。
【０１５７】
また、「中断ボタン」の押下されたタイミングで、携帯電話１ｂは、中断情報付加手段３５によって、記憶手段５に記憶されているアサーションに、中断した時刻を示すタイムスタンプを中断情報として付加する。その後、携帯電話１ｂは、証明書転送手段３３によって、証明書入出力手段４を介して、中断情報等が付加されたアサーションを出力する。なお、このとき、アサーションには、出力時刻付加手段３６によって、有効時間を特定するための出力時刻をさらに付加することとする。
【０１５８】
一方、テレビ受像機１ａは、転送証明書取得手段３４によって、証明書入出力手段４を介して、アサーションを取得し記憶手段５に記憶する。これによって、アサーションが、携帯電話１ｂからテレビ受像機１ａに移動したことになる。
【０１５９】
そして、視聴者がテレビ受像機１ａにおいてコンテンツの視聴を再開する際に、テレビ受像機１ａは、コンテンツの配信を要求するためのコンテンツ配信要求をコンテンツ提供装置１０Ｂに送信する（ステップＳ４９）。具体的には、テレビ受像機１ａは、画面制御手段７２によってコンテンツ選択画面を表示することで、視聴者が視聴したい（視聴を再開したい）コンテンツの選択を受け付ける。そして、テレビ受像機１ａは、コンテンツ配信要求生成手段３２によって、選択されたコンテンツに対応するアサーションを記憶手段５から読み出し、当該アサーションを含んだコンテンツ配信要求を生成し、コンテンツ購入要求送信手段２１によって、コンテンツ購入要求をコンテンツ提供装置１０Ｂに送信する。なお、視聴を再開したいコンテンツに対応するアサーションには、中断情報以外に、出力時刻が付加されているため、テレビ受像機１ａは、証明書有効判定手段３７によって、アサーションを送信する前に、アサーションが有効なものであるか否かを判定し、有効でない場合、すなわち、所定の有効時間が経過しているアサーションについては、廃棄することとする。
【０１６０】
続けて、コンテンツ提供装置１０Ｂは、アサーションの認証を行うための認証照合要求を認証管理装置２０に送信する（ステップＳ５０）。そして、認証管理装置２０は、コンテンツ提供装置１０Ｂから受信した認証照合要求に含まれているアサーションの照合を行う（ステップＳ５１）。その後、認証管理装置２０は、ステップＳ５１の照合結果を、要求のあったコンテンツをコンテンツ提供装置１０Ｂに送信する（ステップＳ５２）。なお、ステップＳ５０からステップＳ５２までの動作は、それぞれ、図１０で説明したステップＳ３４からステップＳ３６までの動作と同じものであるため、詳細な説明は省略する。
【０１６１】
そして、コンテンツ提供装置１０Ｂは、受信した認証照合結果で、コンテンツ配信要求が正規に契約した視聴者からの要求であると判定した場合、要求のあったコンテンツをテレビ受像機１ａに送信する（ステップＳ５３）。具体的には、コンテンツ提供装置１０Ｂは、コンテンツ配信手段１２３によって、認証手段１２２で認証されたアサーションに記述されているコンテンツＩＤに対応するコンテンツを、アサーションに記述されている中断情報（タイムスタンプ）に相当する位置から読み出して、コンテンツ送信手段１１４を介して、テレビ受像機１ａに送信する。
【０１６２】
その後、テレビ受像機１ａは、コンテンツ提供装置１０Ｂから受信したコンテンツを再生する（ステップＳ５４）。なお、このステップＳ５４の動作は、図１０で説明したステップＳ３８の動作と同じものであるため、詳細な説明は省略する。
【０１６３】
以上の動作によって、携帯電話１ｂで視聴を中断したコンテンツを、アサーションを移動することで、視聴者が認証等の手続きをすることなく、テレビ受像機１ａにおいてコンテンツの再生を再開することができる。
【０１６４】
以上、本発明の第２実施形態において、認証管理装置２０が、視聴者の認証処理とコンテンツ購入の認証処理とを一括して管理する構成で説明したが、それぞれの処理を分離した装置で行うことも可能である。
以下、認証管理装置２０の機能を分離して構成したシステムの構成例について第３実施形態として説明する。
【０１６５】
［第３実施形態：コンテンツ配信システムの構成］
図１２を参照して、本発明に係るコンテンツ視聴端末を含んだコンテンツ配信システムの構成について説明する。図１２は、本発明に係るコンテンツ視聴端末を含んだコンテンツ配信システムの第３実施形態のシステム構成図である。
【０１６６】
コンテンツ配信システムＳＣは、コンテンツを提供するプロバイダから、視聴者側からの要求に応じてコンテンツ視聴端末１Ｂにコンテンツを配信するものである。ここでは、コンテンツ配信システムＳＣは、相互にネットワークＮを介して接続された複数のコンテンツ視聴端末１Ｂ（ここでは、テレビ受像機１Ｂａ、携帯電話１Ｂｂ）と、複数のコンテンツ提供装置１０Ｃ，１０Ｃ，…と、認証管理装置２０Ｂと、決済管理装置３０とを備えている。
【０１６７】
この第３実施形態においては、認証管理装置２０Ｂで視聴者の認証を行うためのアサーション（以下、認証アサーションいう）と、決済管理装置３０でコンテンツの決済の管理を行うためのアサーション（以下、決済アサーションという）との２つのアサーションを用いることとする。
【０１６８】
コンテンツ視聴端末１Ｂは、認証管理装置２０Ｂで視聴者の認証を行い、決済管理装置３０でコンテンツ購入の決済を行うことで、コンテンツ提供装置１０Ｃからコンテンツを取得し、提示するものである。
【０１６９】
コンテンツ提供装置１０Ｃは、図８で説明したコンテンツ提供装置１０Ｂにおけるアサーションの認証処理を、認証アサーションと決済アサーションとで区別して行うものである。
【０１７０】
認証管理装置２０Ｂは、視聴者の認証状態を示す認証アサーションを発行するとともに、視聴者の認証管理を行うものである。
決済管理装置３０は、コンテンツの決済状態を示す決済アサーションを発行するとともに、コンテンツの決済管理を行うものである。
【０１７１】
ここでは、コンテンツ視聴端末１Ｂは、認証管理装置２０Ｂから認証アサーションを取得し、この認証アサーションを決済管理装置３０に送信することで、決済管理装置３０から決済アサーションを取得する。なお、コンテンツ視聴端末１Ｂは、各コンテンツ視聴端末１Ｂの間で、アサーション（認証アサーション、決済アサーション）を移動することで、コンテンツを視聴する権利を移譲する。
【０１７２】
また、コンテンツ視聴端末１Ｂは、コンテンツの配信をコンテンツ提供装置１０Ｃに要求する際にアサーション（認証アサーション、決済アサーション）を付加することとする。そして、コンテンツ提供装置１０Ｃは、アサーションを認証管理装置２０Ｂにより照合してもらうことで、認証済みの視聴者からの要求であって、かつ、決済済みのコンテンツの要求であることを判定し、コンテンツを配信する。
なお、認証アサーションは、図２で示したアサーションのうち、ライセンス情報や認証情報とし、決済アサーションは、それ以外の情報をとすることができる。
【０１７３】
［コンテンツ視聴端末の構成］
次に、図１３を参照（適宜図１２参照）して、コンテンツ視聴端末１Ｂの構成について説明する。図１３は、図１２に示したコンテンツ提供装置の構成を示す機能ブロック図である。ここでは、コンテンツ視聴端末１Ｂは、ネットワーク通信手段２Ｂと、認証管理手段３Ｂと、証明書入出力手段４と、記憶手段５と、操作制御手段６と、表示制御手段７とを備えている。ネットワーク通信手段２Ｂおよび認証管理手段３Ｂ以外の構成については、図３で説明したコンテンツ視聴端末１と同一の構成であるため、同一の符号を付して説明を省略する。
【０１７４】
ネットワーク通信手段２Ｂは、インターネット等のネットワークＮを介して、コンテンツ提供装置１０Ｃとの間で、各種情報を送受信するものである。ここでは、ネットワーク通信手段２Ｂは、コンテンツ購入要求送信手段２１Ｂ、証明書受信手段２２Ｂと、コンテンツ配信要求送信手段２３と、コンテンツ受信手段２４とを備えている。コンテンツ購入要求送信手段２１Ｂおよび証明書受信手段２２Ｂ以外の構成については、図３で説明したコンテンツ視聴端末１と同一の構成であるため、同一の符号を付して説明を省略する。
【０１７５】
コンテンツ購入要求送信手段２１Ｂは、後記するコンテンツ購入要求生成手段３１Ｂで生成された認証用データやライセンス購入要求を、それぞれ、認証管理装置２０Ｂや決済管理装置３０に送信するものである。ここでは、コンテンツ購入要求送信手段２１Ｂは、認証用データ送信手段２１ａと、ライセンス購入要求送信手段２１ｂとを備えている。
【０１７６】
認証用データ送信手段２１ａは、後記する認証用データ生成手段３１ａで生成された認証用データを認証管理装置２０Ｂに送信するものである。この認証用データに応じて、認証管理装置２０Ｂから、視聴者の認証が完了したことを示すアサーション（認証アサーション）が送信されることになる。
【０１７７】
ライセンス購入要求送信手段２１ｂは、後記するライセンス購入要求生成手段３１ｂで生成されたライセンス購入要求を決済管理装置３０に送信するものである。このライセンス購入要求に応じて、決済管理装置３０から、コンテンツを取得可能なライセンスとしてアサーション（決済アサーション）が送信されることになる。
【０１７８】
証明書受信手段２２Ｂは、認証管理装置２０Ｂから送信されるアサーション（認証アサーション）や、決済管理装置３０から送信されるアサーション（決済アサーション）を受信するものである。この証明書受信手段２２Ｂで受信されたアサーション（認証アサーション、決済アサーション）は、記憶手段５に記憶される。
【０１７９】
認証管理手段３Ｂは、契約者限定のコンテンツを取得するための認証に必要な処理を実行するものである。ここでは、認証管理手段３Ｂは、コンテンツ購入要求生成手段３１Ｂと、コンテンツ配信要求生成手段３２Ｂと、証明書転送手段３３と、転送証明書取得手段３４と、中断情報付加手段３５と、出力時刻付加手段３６と、証明書有効判定手段３７とを備えている。コンテンツ購入要求生成手段３１Ｂおよびコンテンツ配信要求生成手段３２Ｂ以外の構成については、図３で説明したコンテンツ視聴端末１と同一の構成であるため、同一の符号を付して説明を省略する。
【０１８０】
コンテンツ購入要求生成手段３１Ｂは、コンテンツを視聴（購入）するために必要なアサーションを要求するものである。ここでは、コンテンツ購入要求生成手段３１Ｂは、認証用データ生成手段３１ａと、ライセンス購入要求生成手段３１ｂとを備えている。
【０１８１】
認証用データ生成手段３１ａは、視聴者を認証するためのデータ（ユーザＩＤ、パスワード等）を含んだ認証用データを生成するものである。ここでは、認証用データ生成手段３１ａは、表示制御手段７の画面制御手段７２を介して、ユーザＩＤ、パスワードを入力するための認証画面を表示し、操作ボタン等で入力される文字コードを、操作制御手段６を介して取得することで、認証用データを生成する。この認証用データ生成手段３１ａで生成された認証用データは、認証用データ送信手段２１ａを介して認証管理装置２０Ｂに送信される。
【０１８２】
ライセンス購入要求生成手段３１ｂは、コンテンツを視聴するライセンスを要求するためのライセンス購入要求を生成するものである。ここでは、ライセンス購入要求生成手段３１ｂは、記憶手段５に記憶されているアサーション（認証アサーション）を含んだライセンス購入要求を生成する。このライセンス購入要求生成手段３１ｂで生成されたライセンス購入要求は、ライセンス購入要求送信手段２１ｂを介して決済管理装置３０に送信される。
【０１８３】
コンテンツ配信要求生成手段３２Ｂは、コンテンツ提供装置１０Ｃにコンテンツの配信を要求するためのメッセージを生成するものである。なお、このコンテンツ配信要求生成手段３２Ｂは、コンテンツの配信を要求する事前準備として、コンテンツの配信サービスの開始を要求するためのサービス開始要求を生成し、コンテンツ配信要求送信手段２３を介して、サービス開始要求をコンテンツ提供装置１０Ｃに送信する。そして、コンテンツ配信要求生成手段３２Ｂは、コンテンツ提供装置１０Ｃからサービスの開始を通知された段階で、コンテンツの配信を要求するコンテンツ配信要求を生成する。
【０１８４】
ここで、サービス開始要求には、記憶手段５に記憶されているアサーション（認証アサーション）を付加することとし、コンテンツ配信要求には、記憶手段５に記憶されているアサーション（決済アサーション）を付加することとする。
【０１８５】
なお、証明書転送手段３３、転送証明書取得手段３４および証明書入出力手段４は、アサーションとして、認証アサーションおよび決済アサーションの２つを転送、取得、入出力することとする。また、中断情報付加手段３５は、決済アサーションに対して中断情報を付加し、出力時刻付加手段３６は、認証アサーションおよび決済アサーションの両方に出力時刻を付加することとする。
【０１８６】
このようにコンテンツ視聴端末１Ｂを構成することで、コンテンツ視聴端末１Ｂは、視聴者の認証と、コンテンツの決済と、コンテンツの配信とを個別の装置で行う場合であっても、コンテンツ視聴端末１Ｂ間で相互にアサーションを移転することができ、視聴者が再度認証手続きを行うことなく、コンテンツを視聴する端末を変更することができる。
【０１８７】
［コンテンツ提供装置の構成］
次に、図１４を参照（適宜図１２参照）して、コンテンツ提供装置１０Ｃの構成について説明する。図１４は、図１２に示したコンテンツ提供装置の構成を示す機能ブロック図である。ここでは、コンテンツ提供装置１０Ｃは、ネットワーク通信手段１１０Ｃと、コンテンツ配信管理手段１２０Ｃと、記憶手段１３０Ｂとを備えている。記憶手段１３０Ｂは、図８で説明したコンテンツ提供装置１０Ｂと同一の構成であるため、説明を省略する。
【０１８８】
ネットワーク通信手段１１０Ｃは、インターネット等のネットワークＮを介して、コンテンツ視聴端末１Ｂや認証管理装置２０Ｂとの間で、各種情報を送受信するものである。ここでは、ネットワーク通信手段１１０Ｃは、コンテンツ配信要求受信手段１１３Ｂと、コンテンツ送信手段１１４Ｂと、認証照合要求送信手段１１５と、認証照合結果受信手段１１６とを備えている。なお、認証照合要求送信手段１１５および認証照合結果受信手段１１６は、図８で説明したコンテンツ提供装置１０Ｂと同一の構成であるため、同一の符号を付して説明を省略する。
【０１８９】
コンテンツ配信要求受信手段１１３Ｂは、コンテンツ視聴端末１Ｂから送信されるサービス開始要求やコンテンツ配信要求を受信するものである。このコンテンツ配信要求受信手段１１３Ｂで受信されたサービス開始要求やコンテンツ配信要求は、コンテンツ配信手段１２３Ｃに出力される。
【０１９０】
コンテンツ送信手段１１４Ｂは、コンテンツ配信手段１２３Ｃから出力されるサービス開始通知やコンテンツを、要求のあったコンテンツ視聴端末１Ｂに送信するものである。なお、コンテンツ送信手段１１４Ｂは、コンテンツ送信中に、コンテンツ視聴端末１Ｂから、コンテンツの配信の停止が指示された場合、コンテンツの送信を停止する。
【０１９１】
コンテンツ配信管理手段１２０Ｃは、配信するコンテンツを管理するものである。なお、このコンテンツ配信管理手段１２０Ｃは、コンテンツ視聴端末１Ｂから、コンテンツの配信要求があった場合、認証が行われているか否かの照合、ならびに、コンテンツを視聴するためのライセンスが発行されているか否かの照合を認証管理装置２０Ｂに問合せる。ここでは、コンテンツ配信管理手段１２０Ｃは、コンテンツ配信手段１２３Ｃと、認証照合要求生成手段１２４Ｂとを備えている。
【０１９２】
コンテンツ配信手段１２３Ｃは、サービス開始要求の応答となるサービス開始通知や、記憶手段１３０Ｂに記憶されている配信用のコンテンツを、要求のあったコンテンツ視聴端末１Ｂに配信するものである。このコンテンツ配信手段１２３Ｃは、コンテンツ配信要求受信手段１１３Ｂで受信されたサービス開始要求に含まれているアサーション（認証アサーション、決済アサーション）を認証照合要求生成手段１２４Ｂに出力する。そして、コンテンツ配信手段１２３Ｃは、認証照合結果受信手段１１６を介して、認証管理装置２０Ｂから認証アサーションに対する認証照合結果を受信し、サービス開始要求が認証済みの視聴者からの要求である場合に、コンテンツ送信手段１１４Ｂを介して、サービス開始通知をコンテンツ視聴端末１Ｂに送信する。また、コンテンツ配信手段１２３Ｃは、認証照合結果受信手段１１６を介して、認証管理装置２０Ｂから決済アサーションに対する認証照合結果を受信し、コンテンツ配信要求がライセンス取得済みの視聴者からの要求である場合に、コンテンツ送信手段１１４Ｂを介して、コンテンツをコンテンツ視聴端末１Ｂに送信する。
【０１９３】
なお、コンテンツ配信手段１２３Ｃは、アサーション（決済アサーション）にコンテンツ中断情報が記載されている場合、記憶手段１３０Ｂにおいて、コンテンツ中断情報で示されるタイムスタンプ位置に相当する位置から、コンテンツを読み出して、順次配信する。
【０１９４】
認証照合要求生成手段１２４Ｂは、サービス開始要求が認証済みの視聴者からの要求であるか否か、あるいは、コンテンツ配信要求がライセンス取得済みの視聴者からの要求であるか否かを認証管理装置２０に照合してもらうための要求（認証照合要求）を生成するものである。この認証照合要求には、コンテンツ配信手段１２３Ｃから出力されるアサーション（認証アサーション、決済アサーション）を付加するものとする。
【０１９５】
このようにコンテンツ提供装置１０Ｃを構成することで、コンテンツ提供装置１０Ｃは、認証を行い、かつ、ライセンスを取得した視聴者（コンテンツ視聴端末１Ｂ）に対してのみ、コンテンツを配信することができる。また、コンテンツ提供装置１０Ｃは、アサーション（決済アサーション）によって、コンテンツの視聴の中断、再開を認識することができるため、コンテンツの中断の管理を行うことなく、コンテンツの配信の中断、再開を行うことができる。
【０１９６】
［認証管理装置の構成］
次に、図１５を参照（適宜図１２参照）して、認証管理装置２０Ｂの構成について説明する。図１５は、図１２に示した認証管理装置の構成を示す機能ブロック図である。ここでは、認証管理装置２０Ｂは、ネットワーク通信手段２１０Ｂと、認証状況管理手段２２０Ｂと、記憶手段２３０とを備えている。記憶手段２３０は、図９で説明した認証管理装置２０Ｂと同一の構成であるため、説明を省略する。
【０１９７】
ネットワーク通信手段２１０Ｂは、インターネット等のネットワークＮを介して、コンテンツ視聴端末１Ｂ、コンテンツ提供装置１０Ｃ、決済管理装置３０との間で、各種情報を送受信するものである。ここでは、ネットワーク通信手段２１０Ｂは、証明書送信手段１１２Ｂと、第１認証照合要求受信手段２１１Ｂと、第１認証照合結果送信手段２１２Ｂと、第２認証照合要求受信手段２１１Ｃと、第２認証照合結果送信手段２１２Ｃと、第２認証問合せ要求送信手段２１３と、第２認証問合せ応答受信手段２１４と、認証用データ受信手段２１５とを備えている。
【０１９８】
証明書送信手段１１２Ｂは、証明書生成手段１２１Ｂで生成された証明書であるアサーション（認証アサーション）を、要求のあったコンテンツ視聴端末１Ｂに送信するものである。
【０１９９】
第１認証照合要求受信手段２１１Ｂは、コンテンツ提供装置１０Ｃから送信される認証アサーションを含んだ認証照合要求を受信するものである。この第１認証照合要求受信手段２１１Ｂで受信された認証照合要求は、認証手段２２１Ｂに出力される。
第１認証照合結果送信手段２１２Ｂは、認証照合結果生成手段２２２Ｂで生成された認証アサーションに対する認証照合結果をコンテンツ提供装置１０Ｃに送信するものである。
第２認証照合要求受信手段２１１Ｃは、コンテンツ提供装置１０Ｃから送信される決済アサーションを含んだ認証照合要求を受信するものである。この第２認証照合要求受信手段２１１Ｃで受信された認証照合要求は、認証手段２２１Ｂに出力される。
第２認証照合結果送信手段２１２Ｃは、認証照合結果生成手段２２２Ｂで生成された決済アサーションに対する認証照合結果をコンテンツ提供装置１０Ｃに送信するものである。
【０２００】
第２認証問合せ要求送信手段２１３は、認証手段２２１Ｂから出力される決済アサーションの問合せ要求を、決済管理装置３０に送信するものである。
第２認証問合せ応答受信手段２１４は、決済管理装置３０から、決済アサーションの問合せ要求に対応する応答を認証照合結果として受信するものである。この第２認証問合せ応答受信手段２１４で受信された認証照合結果は、認証照合結果生成手段２２２Ｂに出力される。
【０２０１】
認証用データ受信手段２１５は、コンテンツ視聴端末１Ｂから送信される認証用データを受信するものである。この認証用データ受信手段２１５で受信された認証用データは、証明書生成手段１２１Ｂに出力される。
【０２０２】
認証状況管理手段２２０Ｂは、コンテンツ視聴端末１Ｂの認証状況を管理するものである。ここでは、認証状況管理手段２２０Ｂは、証明書生成手段１２１Ｂと、認証手段２２１Ｂと、認証照合結果生成手段２２２Ｂとを備えている。
【０２０３】
証明書生成手段１２１Ｂは、認証済みの視聴者（コンテンツ視聴端末１Ｂ）に対して、アサーション（認証アサーション）を生成するものである。ここでは、証明書生成手段１２１Ｂは、認証手段２２１Ｂにより視聴者の認証を行い、正規の視聴者であることを認証した場合にのみ、アサーション（認証アサーション）を生成する。
【０２０４】
認証手段２２１Ｂは、認証用データ受信手段２１５で受信された認証用データと、記憶手段２３０に記憶されている登録情報とに基づいて、当該要求が認証済みの視聴者からの要求であるか否かを認証するものである。
【０２０５】
認証照合結果生成手段２２２Ｂは、第１認証照合要求受信手段２１１Ｂで受信された認証照合要求に含まれている認証アサーションや、第２認証照合要求受信手段２１１Ｃで受信された認証照合要求に含まれている決済アサーションの照合を行うものである。なお、認証照合結果生成手段２２２Ｂは、第１認証照合要求受信手段２１１Ｂで受信された認証照合要求に付加されている認証アサーションに対応する視聴者（コンテンツ視聴端末１Ｂ）の認証の状況を、記憶手段２３０に記憶されている認証状況と照合することで、当該視聴者が、すでに認証を行っているか否かを判定する。
【０２０６】
また、認証照合結果生成手段２２２Ｂは、第２認証照合要求受信手段２１１Ｃで受信された認証照合要求に含まれている決済アサーションについては、当該認証照合結果生成手段２２２Ｂにおける認証の照合に加え、決済管理装置３０に対して、視聴者が、ライセンスを購入しているか否かの問合せを行う。ここでは、認証照合結果生成手段２２２Ｂは、第２認証問合せ要求送信手段２１３を介して、決済アサーションを決済管理装置３０に送信し、第２認証問合せ応答受信手段２１４を介して、決済アサーションの照合結果を受信する。
【０２０７】
このように認証管理装置２０Ｂを構成することで、認証管理装置２０Ｂは、認証アサーションを発行するとともに、アサーション（認証アサーション、決済アサーション）の照合を行うことができる。
【０２０８】
［決済管理装置の構成］
次に、図１６を参照（適宜図１２参照）して、決済管理装置３０の構成について説明する。図１６は、図１２に示した決済管理装置の構成を示す機能ブロック図である。ここでは、決済管理装置３０は、ネットワーク通信手段３１０と、決済状況管理手段３２０と、記憶手段３３０とを備えている。
【０２０９】
ネットワーク通信手段３１０は、インターネット等のネットワークＮを介して、コンテンツ視聴端末１Ｂ、認証管理装置２０Ｂとの間で、各種情報を送受信するものである。ここでは、ネットワーク通信手段３１０は、ライセンス購入要求受信手段３１１と、証明書送信手段３１２と、認証問合せ要求受信手段３１３と、認証問合せ応答送信手段３１４とを備えている。
【０２１０】
ライセンス購入要求受信手段３１１は、コンテンツ視聴端末１Ｂから送信されるライセンス購入要求（証明書要求）を受信するものである。このライセンス購入要求受信手段３１１で受信されたライセンス購入要求は、証明書生成手段３２１に出力される。
【０２１１】
証明書送信手段３１２は、証明書生成手段３２１で生成された証明書であるアサーション（認証アサーション）を、要求のあったコンテンツ視聴端末１Ｂに送信するものである。
【０２１２】
認証問合せ要求受信手段３１３は、認証管理装置２０Ｂから送信される決済アサーションを含んだ認証問合せ（アサーション問合せ）要求を受信するものである。この認証問合せ要求受信手段３１３で受信された認証問合せ要求は、応答生成手段３２２に出力される。
認証問合せ応答送信手段３１４は、応答生成手段３２２で生成された決済アサーションの照合結果を応答として、要求のあった認証管理装置２０Ｂに送信するものである。
決済状況管理手段３２０は、コンテンツのライセンス取得状況の管理を行うものである。ここでは、決済状況管理手段３２０は、証明書生成手段３２１と、応答生成手段３２２とを備えている。
【０２１３】
証明書生成手段３２１は、コンテンツを視聴するためのライセンスを購入した視聴者に対して、アサーション（決済アサーション）を生成するものである。ここでは、証明書生成手段３２１は、ライセンス購入要求受信手段３１１で受信されたライセンス購入要求に記載されている情報（例えば、クレジットカードのカード番号、暗号番号等）により、ライセンスの購入判定を行い、決済アサーションを生成する。この証明書生成手段３２１で生成されたアサーション（決済アサーション）は、証明書送信手段３１２を介して、コンテンツ視聴端末１Ｂに送信される。なお、視聴者が正規にコンテンツのライセンスを購入した場合、証明書生成手段３２１は、記憶手段３３０の登録情報にライセンスの取得情報等を記憶しておく。
【０２１４】
応答生成手段３２２は、認証問合せ要求受信手段３１３で受信された決済アサーションを含んだ認証問合せ要求に対して、ライセンスが付与されているか否かを照合し、照合結果を生成するものである。ここでは、応答生成手段３２２は、決済アサーションの内容と、記憶手段３３０に記憶されている登録情報とを照合することで、ラインセンスの照合を行う。
【０２１５】
記憶手段３３０は、視聴者のライセンスの取得状況等を登録情報として記憶しておくものであって、ハードディスク等の一般的な記憶装置である。
このように決済管理装置３０を構成することで、決済管理装置３０は、決済アサーションの発行と、当該決済アサーションの照合を行うことができる。
【０２１６】
［コンテンツ配信システムの動作］
次に、図１７を参照（構成については、適宜図１３〜図１６参照）して、コンテンツ配信システムＳＣの動作について説明する。図１７は、図１２に示したコンテンツ配信システムにおいて、アサーションを移動する動作を示したシーケンス図である。なお、ここでは、携帯電話１Ｂｂがすでに認証を行った状態で、認証アサーションを取得する動作以降について説明する。
【０２１７】
まず、携帯電話１Ｂｂから視聴者が認証を行うことで、認証管理装置２０Ｂは、視聴者が認証済みであることを示す認証アサーションを携帯電話１Ｂｂに送信する（ステップＳ６０）。具体的には、認証管理装置２０Ｂは、認証用データ受信手段２１５によって携帯電話１Ｂｂから認証用データ（ユーザＩＤ、パスワード）を取得後、証明書生成手段１２１Ｂによって、認証済みの視聴者（携帯電話１Ｂｂ）に対する認証アサーションを生成し、証明書送信手段１１２Ｂを介して、認証アサーションを携帯電話１Ｂｂに送信する。
【０２１８】
その後、携帯電話１Ｂｂは、決済管理装置３０にコンテンツを視聴するためのライセンスの購入を要求する（ステップＳ６１）。具体的には、携帯電話１Ｂｂは、ライセンス購入要求生成手段３１ｂによって認証アサーションを含んだライセンス購入要求を生成し、ライセンス購入要求送信手段２１ｂを介して、ライセンス購入要求を決済管理装置３０に送信する。
【０２１９】
そして、決済管理装置３０は、ライセンスの購入が完了したことを示す決済アサーションを携帯電話１Ｂｂに送信する（ステップＳ６２）。具体的には、決済管理装置３０は、ライセンス購入要求受信手段３１１によってライセンス購入要求を受信後、証明書生成手段３２１によって、ライセンスの購入が完了したことを示す決済アサーションを生成し、証明書送信手段３１２を介して、決済アサーションを携帯電話１Ｂｂに送信する。このとき、決済管理装置３０は、ライセンスの取得情報を記憶手段３３０に登録情報として記憶しておく。
【０２２０】
その後、視聴者が、コンテンツの視聴をテレビ受像機１Ｂａにおいて行う場合、アサーション（認証アサーション、決済アサーション）を携帯電話１Ｂｂから、テレビ受像機１Ｂａに移動させる（ステップＳ６３）。具体的には、携帯電話１Ｂｂは、証明書転送手段３３によって、記憶手段５に記憶されているアサーション（認証アサーション、決済アサーション）を読み出して、証明書入出力手段４を介して、アサーションを出力する。一方、テレビ受像機１Ｂａは、転送証明書取得手段３４によって、証明書入出力手段４を介して、アサーションを取得し記憶手段５に記憶する。これによって、アサーションが、携帯電話１Ｂｂからテレビ受像機１Ｂａに移動したことになる。
【０２２１】
そして、視聴者がテレビ受像機１Ｂａにおいてコンテンツを視聴する際に、テレビ受像機１Ｂａは、コンテンツ配信のサービスを要求するためのサービス開始要求をコンテンツ提供装置１０Ｃに送信する（ステップＳ６４）。具体的には、テレビ受像機１Ｂａは、コンテンツ配信要求生成手段３２Ｂによって、サービス開始要求を生成し、コンテンツ配信要求送信手段２３を介して、認証アサーションを付加したサービス開始要求をコンテンツ提供装置１０Ｃに送信する。
【０２２２】
続けて、コンテンツ提供装置１０Ｃは、認証アサーションの認証を行うため、当該認証アサーションを含んだ認証照合要求を認証管理装置２０Ｂに送信する（ステップＳ６５）。具体的には、コンテンツ提供装置１０Ｃは、コンテンツ配信要求受信手段１１３Ｂを介して、サービス開始要求を受信後、認証照合要求生成手段１２４Ｂによって、サービス開始要求に付加されている認証アサーションを認証照合要求として、認証照合要求送信手段１１５を介して、認証管理装置２０Ｂに送信する。
【０２２３】
そして、認証管理装置２０Ｂは、コンテンツ提供装置１０Ｃから受信した認証照合要求に含まれている認証アサーションの照合を行う（ステップＳ６６）。具体的には、認証管理装置２０Ｂは、第１認証照合要求受信手段２１１Ｂによって、認証照合要求を受信する。そして、認証管理装置２０Ｂは、認証照合結果生成手段２２２Ｂによって、認証照合要求に含まれている認証アサーションと、記憶手段２３０に記憶されている認証状況との照合を行うことで、認証アサーションが認証済みの視聴者のものであるか否かを判定する。
【０２２４】
そして、認証管理装置２０Ｂは、ステップＳ６６の照合結果を、要求のあったコンテンツ提供装置１０Ｃに送信する（ステップＳ６７）。具体的には、認証管理装置２０Ｂは、第１認証照合結果送信手段２１２Ｂによって、認証照合結果生成手段２２２Ｂで生成された認証照合結果をコンテンツ提供装置１０Ｃに送信する。
【０２２５】
そして、コンテンツ提供装置１０Ｃは、受信した認証照合結果で、サービス開始要求が認証済みの視聴者からの要求であると判定した場合、サービスの開始を通知するサービス開始通知をテレビ受像機１Ｂａに送信する（ステップＳ６８）。具体的には、コンテンツ提供装置１０Ｃは、コンテンツ配信手段１２３Ｃによって、認証照合結果において、サービス開始要求が認証済みの視聴者からの要求であると判定された場合にのみ、コンテンツ送信手段１１４Ｂを介して、サービス開始通知をテレビ受像機１Ｂａに送信する。
【０２２６】
そして、テレビ受像機１Ｂａは、コンテンツの配信を要求するためのコンテンツ配信要求をコンテンツ提供装置１０Ｃに送信する（ステップＳ６９）。具体的には、テレビ受像機１Ｂａは、画面制御手段７２によってコンテンツ選択画面を表示することで、視聴者が視聴したいコンテンツの選択を受け付ける。そして、テレビ受像機１Ｂａは、コンテンツ配信要求生成手段３２Ｂによって、選択されたコンテンツに対応する決済アサーションを記憶手段５から読み出し、当該決済アサーションを含んだコンテンツ配信要求を生成し、コンテンツ配信要求送信手段２３によって、コンテンツ配信要求をコンテンツ提供装置１０Ｃに送信する。
【０２２７】
続けて、コンテンツ提供装置１０Ｃは、決済アサーションの認証を行うための認証照合要求を認証管理装置２０Ｂに送信する（ステップＳ７０）。具体的には、コンテンツ提供装置１０Ｃは、コンテンツ配信要求受信手段１１３Ｂを介して、コンテンツ配信要求を受信後、認証照合要求生成手段１２４Ｂによって、コンテンツ配信要求に付加されている決済アサーションを認証照合要求として、認証照合要求送信手段１１５を介して、認証管理装置２０Ｂに送信する。
【０２２８】
そして、認証管理装置２０Ｂは、コンテンツ提供装置１０Ｃから受信した認証照合要求に含まれている決済アサーションの照合を行う（ステップＳ７１）。このとき、認証管理装置２０Ｂは、認証照合結果生成手段２２２Ｂによって、第２認証照合要求受信手段２１１Ｃで受信された認証照合要求に含まれている決済アサーションの認証問合せ（アサーション問合せ）要求を、第２認証問合せ要求送信手段２１３を介して、決済管理装置３０に送信する（ステップＳ７２）。そして、決済管理装置３０は、応答生成手段３２２によって、認証問合せ要求受信手段３１３で受信された決済アサーションを含んだ認証問合せ要求に対して、ライセンスが付与されているか否かの応答を、認証問合せ応答送信手段３１４を介して認証管理装置２０Ｂに送信する（ステップＳ７３）。その後、認証管理装置２０Ｂは、第２認証問合せ応答受信手段２１４によってステップＳ７３で送信された応答を受信し、認証照合結果生成手段２２２Ｂによって、決済アサーションに対する応答として、コンテンツ提供装置１０Ｃに送信する（ステップＳ７４）。
【０２２９】
そして、コンテンツ提供装置１０Ｃは、受信した応答で、コンテンツ配信要求が決済が済んだ視聴者からの要求であると判定した場合、要求のあったコンテンツをテレビ受像機１Ｂａに送信する（ステップＳ７５）。具体的には、コンテンツ提供装置１０Ｃは、コンテンツ配信手段１２３Ｃによって、コンテンツ配信要求が契約が済んだ視聴者からの要求であると判定された場合にのみ、コンテンツ配信要求に記述されているコンテンツＩＤに対応するコンテンツを記憶手段１３０Ｂから読み出して、コンテンツ送信手段１１４Ｂを介して、テレビ受像機１Ｂａに送信する。これによって、テレビ受像機１Ｂａにおいて、コンテンツの視聴が可能になる。
【０２３０】
さらに、コンテンツ提供装置１０Ｃは、コンテンツを配信後、当該決済アサーションが使用されたことを、認証管理装置２０Ｂに通知し（ステップＳ７６）、認証管理装置２０Ｂが、さらに、決済管理装置３０に決済アサーションが使用されたことを通知する（ステップＳ７７）ことが望ましい。これによって、例えば、コンテンツの視聴回数の制限等の制御を行うことができる。
【０２３１】
なお、コンテンツ視聴端末１Ｂにおいて、コンテンツの視聴を中断し、他のコンテンツ視聴端末で継続してコンテンツの視聴を継続させる場合、決済アサーションに中断情報（タイムスタンプ）を付加して、移動を行うことで動作させることができる。この基本的な動作は、図１１で説明した動作と同様であるため、詳細な説明は省略する。
【０２３２】
以上説明したように、アサーションをコンテンツ視聴端末１（１Ｂ）間で移動させることで、視聴者が認証の手間を省いて他のコンテンツ視聴端末１（１Ｂ）でコンテンツを視聴することができる。また、アサーションにコンテンツの中断情報を付加することで、コンテンツ視聴中であっても、他のコンテンツ視聴端末１でコンテンツの視聴を再開することができる。また、この中断情報は、コンテンツ視聴端末１で付加される情報であるため、コンテンツ提供装置１０、１０Ｂ、１０Ｃの負荷が軽減されることになる。
【図面の簡単な説明】
【０２３３】
【図１】本発明に係るコンテンツ視聴端末を含んだコンテンツ配信システムの第１実施形態のシステム構成図である。
【図２】アサーション（視聴権利証明書）のデータの内容例を示す図である。
【図３】図１に示したコンテンツ視聴端末の構成を示す機能ブロック図である。
【図４】、図１に示したコンテンツ提供装置の構成を示す機能ブロック図である。
【図５】図１に示したコンテンツ配信システムにおいて、アサーションを移動する基本動作を示したシーケンス図である。
【図６】図１に示したコンテンツ配信システムにおいて、コンテンツの視聴を中断し、他のコンテンツ視聴端末で視聴を再開する動作を示すシーケンス図である。
【図７】本発明に係るコンテンツ視聴端末を含んだコンテンツ配信システムの第２実施形態のシステム構成図である。
【図８】図７に示したコンテンツ提供装置の構成を示す機能ブロック図である。
【図９】図７に示した認証管理装置の構成を示す機能ブロック図である。
【図１０】図７に示したコンテンツ配信システムにおいて、アサーションを移動する基本動作を示したシーケンス図である。
【図１１】図７に示したコンテンツ配信システムにおいて、コンテンツの視聴を中断し、他のコンテンツ視聴端末で視聴を再開する動作を示すシーケンス図である。
【図１２】本発明に係るコンテンツ視聴端末を含んだコンテンツ配信システムの第３実施形態のシステム構成図である。
【図１３】図１２に示したコンテンツ提供装置の構成を示す機能ブロック図である。
【図１４】図１２に示したコンテンツ提供装置の構成を示す機能ブロック図である。
【図１５】図１２に示した認証管理装置の構成を示す機能ブロック図である。
【図１６】図１２に示した決済管理装置の構成を示す機能ブロック図である。
【図１７】図１２に示したコンテンツ配信システムにおいて、アサーションを移動する動作を示したシーケンス図である。
【符号の説明】
【０２３４】
Ｓ      コンテンツ配信システム
１      コンテンツ視聴端末
２      ネットワーク通信手段
２１    コンテンツ購入要求送信手段（証明書要求手段）
２２    証明書受信手段
２３    コンテンツ配信要求送信手段（コンテンツ要求手段）
２４    コンテンツ受信手段
３      認証管理手段
３１    コンテンツ購入要求生成手段（証明書要求手段）
３２    コンテンツ配信要求生成手段（コンテンツ要求手段）
３３    証明書転送手段
３４    転送証明書取得手段
３５    中断情報付加手段
３６    出力時刻付加手段
３７    証明書有効判定手段
４      証明書入出力手段
５      記憶手段
６      操作制御手段（コンテンツ中断指示手段）
７      表示制御手段
７１    コンテンツ再生手段
７２    画面制御手段
１０    コンテンツ提供装置
２０    認証管理装置
３０    決済管理装置
【図１】
2009217370.tif 000003
【図２】
2009217370.tif 000004
【図３】
2009217370.tif 000005
【図４】
2009217370.tif 000006
【図５】
2009217370.tif 000007
【図６】
2009217370.tif 000008
【図７】
2009217370.tif 000009
【図８】
2009217370.tif 000010
【図９】
2009217370.tif 000011
【図１０】
2009217370.tif 000012
【図１１】
2009217370.tif 000013
【図１２】
2009217370.tif 000014
【図１３】
2009217370.tif 000015
【図１４】
2009217370.tif 000016
【図１５】
2009217370.tif 000017
【図１６】
2009217370.tif 000018
【図１７】
2009217370.tif 000019